(57)【要約】  ファンガード（１０）は、内側部（１１）、外枠部（１２）およびガード部（１３）を備える。ガード部（１３）は、周方向に並び内側部の周囲を全体として環状に取り囲む複数の第１開口領域（Ｒ１０Ａ〜Ｒ１０Ｅ）を形成する複数の第１フレーム（１４）と、各々の第１開口領域（Ｒ１０Ａ〜Ｒ１０Ｅ）の中に配置され、各々の第１開口領域を区画するように設けられた複数の第１線状リブ（１５）とを含む。第１の第１開口領域と、第１の第１開口領域に隣接する第２の第１開口領域とについて見た場合、第１の第１開口領域を区画している複数の第１線状リブ（１５）と、第２の第１開口領域を区画している複数の第１線状リブ（１５）とは、屈曲するような形で連続しているか、もしくは互いに連続しないように配置されている。ファンガード（１０）は、開口領域を通して吹き出される気流の向きを複数の開口領域毎に設定することができる。
2016121485.tif 000002
【特許請求の範囲】
【請求項１】
ファンをガードするためのファンガードであって、
外枠部と、
前記外枠部の内側に配置される内側部と、
前記外枠部と前記内側部との間に設けられるガード部と、を備え、
前記ガード部は、
前記外枠部と前記内側部との間の領域を区画することによって、周方向に並び前記内側部の周囲を全体として環状に取り囲む複数の第１開口領域を形成する複数の第１フレームと、
各々の前記第１開口領域の中に配置され、各々の前記第１開口領域を区画するように設けられた複数の第１線状リブと、を含み、
第１の前記第１開口領域と、第１の前記第１開口領域に隣接する第２の前記第１開口領域とについて見た場合、第１の前記第１開口領域を区画している複数の前記第１線状リブと、第２の前記第１開口領域を区画している複数の前記第１線状リブとは、屈曲するような形で連続しているか、もしくは互いに連続しないように配置されている、
ファンガード。
【請求項２】
複数の前記第１フレームの各々は、円形状の一部からなる円弧形状を有しており、
複数の前記第１フレームを構成している複数の前記円弧形状の一つ一つに対応する前記円形状の中心は、互いに異なる位置に設けられている、
請求項１に記載のファンガード。
【請求項３】
１つの前記第１開口領域の中に配置された複数の前記第１線状リブは、同心円状に並んで配置されている、
請求項１または２に記載のファンガード。
【請求項４】
複数の前記第１線状リブの位置を規定している同心円の中心位置は、前記内側部の中心位置とは異なる位置である、
請求項３に記載のファンガード。
【請求項５】
１つの前記第１開口領域の中に配置された複数の前記第１線状リブは、同心円の径方向において等間隔に配置されている、
請求項３または４に記載のファンガード。
【請求項６】
前記第１線状リブは、前記内側部を中心とする周方向における一方の端部と他方の端部とを有しており、
前記第１線状リブの一方の端部と前記内側部の中心位置との間の距離をＬ１とし、前記第１線状リブの他方の端部と前記内側部の中心位置との間の距離をＬ２とした場合、
すべての前記第１線状リブについてＬ１＞Ｌ２の関係が成立している、
請求項１から５のいずれかに記載のファンガード。
【請求項７】
前記第１線状リブは、前記内側部を中心とする周方向における一方の端部と他方の端部とを有しており、
前記第１線状リブの一方の端部と前記内側部の中心位置との間の距離をＬＡとし、前記第１線状リブの他方の端部と前記内側部の中心位置との間の距離をＬＢとした場合、
ＬＡ＞ＬＢの関係を具備する複数の前記第１線状リブが内側に設けられた前記第１開口領域と、ＬＢ＞ＬＡの関係を具備する複数の前記第１線状リブが内側に設けられた前記第１開口領域とが、周方向において交互に並んでいる、
請求項１または２に記載のファンガード。
【請求項８】
前記第１フレームの一方の端部は、前記内側部の外周上に位置しており、
前記第１フレームの他方の端部は、前記外枠部上に位置している、
請求項７に記載のファンガード。
【請求項９】
前記ファンの背面側に向かって軸方向に前記ガード部を投影した場合、前記ガード部の投影像は、前記ファンの背面側に配置される背面側ファンガードのガード部に重なる部分を有している、
請求項１から８のいずれかに記載のファンガード。
【請求項１０】
ファンと、
請求項１から９のいずれかに記載のファンガードと、を備える、
送風装置。
【請求項１１】
略円形の通風口を有し、前記ファンを収容する筐体をさらに備え、
前記ファンガードの前記外枠部の外形形状は、前記通風口よりも大きく、
前記ファンガードは、前記筐体の外側から前記通風口を覆うように配置されている、
請求項１０に記載の送風装置。
【請求項１２】
前記外枠部は、矩形状の外形形状を有している、
請求項１１に記載の送風装置。
【発明の詳細な説明】
【技術分野】
【０００１】
本発明は、ファンをガードするためのファンガード、およびそのようなファンガードを備えた送風装置に関する。
【背景技術】
【０００２】
扇風機、サーキュレータ、エアコン室外機等の送風装置は、ファンを備えている。手指などがファンに接触することを防止するために、ファンガードはファンを覆うように配置される。以下の説明において、ファンガードとは、ファンを正面側から覆うように配置される部材のことを意味し、ファンガードと、ファンを背面側から覆うように配置される背面側ファンガードとは区別されるものとする。従来から、種々の形状を有するファンガードが知られている。【０００３】
図４３に示すファンガード１０Ｚ１は、内側部１１、外枠部１２およびガード部１３を備える。ガード部１３は、複数のフレーム１４および複数の線状リブ１５を含む。内側部１１は、閉塞された円盤状の形状を有し、外枠部１２は、円環状の形状を有する。複数のフレーム１４は、内側部１１を中心として放射状に延びる形状を有し、周方向に３０°の間隔を空けて配置される。複数の線状リブ１５は、全体として同心円状に配置され、隣り合うフレーム１４の間に形成された空間を、複数の開口領域に区画している。【０００４】
図４４に示すファンガード１０Ｚ２のガード部１３は、複数のフレーム１４のみから構成される。複数のフレーム１４の各々は、直線形状を有し、内側部１１を中心として放射状に延びている。図４５に示すファンガード１０Ｚ３のガード部１３も、複数のフレーム１４のみから構成される。複数のフレーム１４は、曲線形状を有し、内側部１１を中心として外枠部１２に向かって延びている。【０００５】
図４６に示すファンガード１０Ｚ４のガード部１３も、複数のフレーム１４のみから構成される。複数のフレーム１４は、ファンガード１０Ｚ３（図４５）の場合とは反対向きに湾曲する形状を有している。図４７に示すファンガード１０Ｚ５のガード部１３は、複数のフレーム１４および複数の線状リブ１５を含む。複数の線状リブ１５は、全体として１つの円を形成している。【０００６】
図４８に示すファンガード１０Ｚ６のガード部１３は、複数の線状リブ１５のみから構成される。複数の線状リブ１５は、直線形状を有し、格子状に配置されている。これらの他にも、特許４７２１８５４号公報（特許文献１）および特開２０１３−１８５５３３号公報（特許文献２）に開示されたファンガードが知られている。
【先行技術文献】
【特許文献】
【０００７】
【特許文献１】特許４７２１８５４号公報
【特許文献２】特開２０１３−１８５５３３号公報
【発明の概要】
【発明が解決しようとする課題】
【０００８】
従来のファンガードにおいては、内側部と外枠部との間に、格子状、放射状や同心円状といった単純な形状を有するフレームやリブが配置されているのみである。これらのフレームやリブは、内側部と外枠部との間の領域を、単純な形状を有する複数の開口領域に区画しているのみであり、各領域からは同じような気流が出てきていた。【０００９】
本発明は、内側部と外枠部との間の領域を区画して複数の開口領域を形成するフレームやリブの形状に特定の構成を採用することで、開口領域を通して吹き出される気流の向きを複数の開口領域毎に設定することができるファンガード、およびそのようなファンガードを備えた送風装置を提供することを目的とする。
【課題を解決するための手段】
【００１０】
本発明に基づくファンガードは、ファンをガードするためのファンガードであって、外枠部と、上記外枠部の内側に配置される内側部と、上記外枠部と上記内側部との間に設けられるガード部と、を備え、上記ガード部は、上記外枠部と上記内側部との間の領域を区画することによって、周方向に並び上記内側部の周囲を全体として環状に取り囲む複数の第１開口領域を形成する複数の第１フレームと、各々の上記第１開口領域の中に配置され、各々の上記第１開口領域を区画するように設けられた複数の第１線状リブと、を含み、第１の上記第１開口領域と、第１の上記第１開口領域に隣接する第２の上記第１開口領域とについて見た場合、第１の上記第１開口領域を区画している複数の上記第１線状リブと、第２の上記第１開口領域を区画している複数の上記第１線状リブとは、屈曲するような形で連続しているか、もしくは互いに連続しないように配置されている。【００１１】
好ましくは、複数の上記第１フレームの各々は、円形状の一部からなる円弧形状を有しており、複数の上記第１フレームを構成している複数の上記円弧形状の一つ一つに対応する上記円形状の中心は、互いに異なる位置に設けられている。【００１２】
好ましくは、１つの上記第１開口領域の中に配置された複数の上記第１線状リブは、同心円状に並んで配置されている。【００１３】
好ましくは、複数の上記第１線状リブの位置を規定している同心円の中心位置は、上記内側部の中心位置とは異なる位置である。【００１４】
好ましくは、１つの上記第１開口領域の中に配置された複数の上記第１線状リブは、同心円の径方向において等間隔に配置されている。【００１５】
好ましくは、上記第１線状リブは、上記内側部を中心とする周方向における一方の端部と他方の端部とを有しており、上記第１線状リブの一方の端部と上記内側部の中心位置との間の距離をＬ１とし、上記第１線状リブの他方の端部と上記内側部の中心位置との間の距離をＬ２とした場合、すべての上記第１線状リブについてＬ１＞Ｌ２の関係が成立している。【００１６】
好ましくは、上記第１線状リブは、上記内側部を中心とする周方向における一方の端部と他方の端部とを有しており、上記第１線状リブの一方の端部と上記内側部の中心位置との間の距離をＬＡとし、上記第１線状リブの他方の端部と上記内側部の中心位置との間の距離をＬＢとした場合、Ａ＞ＬＢの関係を具備する複数の上記第１線状リブが内側に設けられた上記第１開口領域と、ＬＢ＞ＬＡの関係を具備する複数の上記第１線状リブが内側に設けられた上記第１開口領域とが、周方向において交互に並んでいる。【００１７】
好ましくは、上記第１フレームの一方の端部は、上記内側部の外周上に位置しており、上記第１フレームの他方の端部は、上記外枠部上に位置している。【００１８】
好ましくは、上記ファンの背面側に向かって軸方向に上記ガード部を投影した場合、上記ガード部の投影像は、上記ファンの背面側に配置される背面側ファンガードのガード部に重なる部分を有している。【００１９】
本発明に基づく送風装置は、ファンと、本発明に基づく上記のファンガードと、を備える。【００２０】
好ましくは、上記の送風装置は、略円形の通風口を有し、上記ファンを収容する筐体をさらに備え、上記ファンガードの上記外枠部の外形形状は、上記通風口よりも大きく、上記ファンガードは、上記筐体の外側から上記通風口を覆うように配置されている。【００２１】
好ましくは、上記外枠部は、矩形状の外形形状を有している。
【発明の効果】
【００２２】
上記の構成においては、隣接する２つの第１開口領域を区画している複数の線状リブ（第１線状リブ）は、屈曲するような形で連続しているか、もしくは互いに連続しないように配置されている。このような思想をファンガードに適用することにより、第１開口領域を通して吹き出される気流の向きを複数の第１開口領域毎に設定することができる。
【図面の簡単な説明】
【００２３】
【図１】実施の形態１における送風装置の一部を分解して示す正面図である。
【図２】実施の形態１における送風装置の一部を分解して示す側面図である。
【図３】実施の形態１におけるファンガードを示す正面図である。
【図４】実施の形態１におけるファンガードの一部を示す第１正面図であり、複数のフレーム（第１フレーム）の構成を説明するための図である。
【図５】実施の形態１におけるファンガードの一部を示す第２正面図であり、複数のフレーム（第１フレーム）の構成を説明するための図である。
【図６】実施の形態１におけるファンガードの一部を示す第３正面図であり、複数のフレーム（第１フレーム）の構成を説明するための図である。
【図７】実施の形態１におけるファンガードの一部を示す第４正面図であり、複数の線状リブ（第１線状リブ）の構成を説明するための図である。
【図８】実施の形態１におけるファンガードの一部を示す第５正面図であり、複数の線状リブ（第１線状リブ）の構成を説明するための図である。
【図９】実施の形態１におけるファンガードの一部を示す第６正面図であり、複数のフレーム（第２フレーム）の構成を説明するための図である。
【図１０】実施の形態１におけるファンガードの一部を示す第７正面図であり、複数のフレーム（第２フレーム）の構成を説明するための図である。
【図１１】実施の形態１におけるファンガードの一部を示す第８正面図であり、複数の線状リブ（第２線状リブ）の構成を説明するための図である。
【図１２】実施の形態１におけるファンガードの一部を示す第９正面図であり、複数の線状リブ（第２線状リブ）の構成を説明するための図である。
【図１３】実施の形態１におけるファンガードの一部を示す第１０正面図である。
【図１４】実施の形態１におけるファンガードの一部を示す第１１正面図であり、複数の線状リブ（第３線状リブ）の構成を説明するための図である。
【図１５】実施の形態１におけるファンガードの一部を示す第１２正面図であり、複数の線状リブ（第３線状リブ）の構成を説明するための図である。
【図１６】実施の形態１におけるファンガードの一部を示す第１３正面図である。
【図１７】実施の形態２におけるファンガードの一部を示す正面図である。
【図１８】実施の形態３におけるファンガードを示す正面図である。
【図１９】実施の形態４におけるファンガードを示す正面図である。
【図２０】実施の形態５におけるファンガードを示す正面図である。
【図２１】実施の形態６におけるファンガードを示す正面図である。
【図２２】実施の形態７におけるファンガードを示す正面図である。
【図２３】実施の形態８におけるファンガードを示す正面図である。
【図２４】実施の形態９におけるファンガードを示す正面図である。
【図２５】実施の形態１０におけるファンガードを示す正面図である。
【図２６】実施の形態１１におけるファンガードを示す正面図である。
【図２７】実施の形態１１におけるファンガードの一部を示す第１正面図であり、複数のフレーム（第１フレーム）の構成を説明するための図である。
【図２８】実施の形態１１におけるファンガードの一部を示す第２正面図であり、複数のフレーム（第１フレーム）の構成を説明するための図である。
【図２９】実施の形態１１におけるファンガードの一部を示す第３正面図であり、複数の線状リブ（第１リブ）の構成を説明するための図である。
【図３０】実施の形態１１におけるファンガードの一部を示す第４正面図であり、複数の線状リブ（第１リブ）の構成を説明するための図である。
【図３１】実施の形態１２におけるファンガードを示す正面図である。
【図３２】実施の形態１２におけるファンガードの一部を示す第１正面図であり、複数のフレーム（第１フレーム）の構成を説明するための図である。
【図３３】実施の形態１２におけるファンガードの一部を示す第２正面図であり、複数の線状リブ（第１リブ）の構成を説明するための図である。
【図３４】実施の形態１２におけるファンガードの一部を示す第３正面図であり、複数の線状リブ（第１リブ）の構成を説明するための図である。
【図３５】実施の形態１３における送風装置を示す斜視図である。
【図３６】実施の形態１３における送風装置を示す正面図である。
【図３７】実施の形態１３における送風装置を示す横断面図である。
【図３８】実施の形態１３における送風装置を示す縦断面図である。
【図３９】実施の形態１３におけるファンガードを示す正面図である。
【図４０】実施の形態１４における送風装置を示す斜視図である。
【図４１】実施の形態１４におけるファンガードを示す正面図である。
【図４２】実施の形態１５におけるファンガードを示す正面図である。
【図４３】一般的なファンガード１０Ｚ１を示す正面図である。
【図４４】一般的なファンガード１０Ｚ２を示す正面図である。
【図４５】一般的なファンガード１０Ｚ３を示す正面図である。
【図４６】一般的なファンガード１０Ｚ４を示す正面図である。
【図４７】一般的なファンガード１０Ｚ５を示す正面図である。
【図４８】一般的なファンガード１０Ｚ６を示す正面図である。
【発明を実施するための形態】
【００２４】
実施の形態について、以下、図面を参照しながら説明する。同一の部品および相当部品には同一の参照番号を付し、重複する説明は繰り返さない場合がある。
【００２５】
［実施の形態１］
図１〜図１６を参照して、実施の形態１におけるファンガード１０および送風装置１００について説明する。
【００２６】
（送風装置１００）
図１および図２は、それぞれ、送風装置１００の一部を分解して示す正面図および側面図である。図１および図２に示すように、送風装置１００は、扇風機として機能する装置であり、ファンガード１０、背面側ファンガード２０、ファン３０および本体部４０を備える。
【００２７】
（ファンガード１０）
図３は、ファンガード１０を示す正面図である。図３に示すように、ファン３０（図１）をガードするためのファンガード１０は、内側部１１、外枠部１２およびガード部１３を備える。内側部１１（閉塞部）は、閉塞された円盤状の形状を有し、ファン３０（図１）の正面中央に対向するように配置される。外枠部１２（外周リング部）は、ファン３０の直径よりも大きな内径を持つリング状（円環状）の形状を有し、内側部１１の外周に配置される。
【００２８】
ガード部１３は、内側部１１と外枠部１２との間に設けられ、手指などがファンに接触することを主として防止する。本実施の形態におけるガード部１３は、複数のフレーム１４（第１フレーム）、複数の線状リブ１５（第１線状リブ）、複数のフレーム１６（第２フレーム）、複数の線状リブ１７（第２線状リブ）、および複数の線状リブ１８（第３線状リブ）を含む。
【００２９】
フレームとリブとは、たとえばその太さ（幅）によって区別され得るものであり、フレームは、リブよりも太く、またはリブよりも細く構成される。また、たとえばフレームは互いに重なりあったり交わったり滑らかに繋がったりするものであるが、そのフレーム内の領域において、あらゆるリブは１本１本独立して存在するものであり、リブ同士は互いに重なりあったり交わったり滑らかに繋がったりしないように構成するのが望ましい。またリブの断面形状は、その材質が樹脂の場合は矩形が望ましく、その材質が金属の場合は円形が望ましいが、これらに限定されるものではない。なお、フレームとリブとが同一の太さを有している場合、および、リブ同士が互いに重なるか交わるか繋がるかするものを請求の範囲から積極的に除外することを意図しているものではない。以下、フレーム１４、線状リブ１５、フレーム１６、線状リブ１７、および線状リブ１８について順に説明する。
【００３０】
（フレーム１４）
図４〜図６は、ファンガード１０の一部を示す正面図であり、複数のフレーム１４（第１フレーム）の構成を説明するための図である。本実施の形態におけるファンガードは、複数（５つ）のフレーム１４（１４Ａ〜１４Ｅ）を有している。説明上の便宜のため、図４〜図６においては、線状リブ１５、フレーム１６、線状リブ１７および線状リブ１８は図示されていない（図３参照）。
【００３１】
図４に示すように、フレーム１４（１４Ａ）は、位置Ａ１から位置Ａ２まで延在する円弧形状を有しており、フレーム１４（１４Ｂ）は、位置Ｂ１から位置Ｂ２まで延在する円弧形状を有しており、フレーム１４（１４Ｃ）は、位置Ｃ１から位置Ｃ２まで延在する円弧形状を有しており、フレーム１４（１４Ｄ）は、位置Ｄ１から位置Ｄ２まで延在する円弧形状を有しており、フレーム１４（１４Ｅ）は、位置Ｅ１から位置Ｅ２まで延在する円弧形状を有している。
【００３２】
位置Ａ１，Ａ２，Ｂ１，Ｃ１，Ｄ１は、内側部１１の外周上に位置している。位置Ｂ２は、フレーム１４（１４Ａ）上に位置し、位置Ｃ２は、フレーム１４（１４Ｂ）上に位置し、位置Ｄ２は、フレーム１４（１４Ｃ）上に位置し、位置Ｅ１，Ｅ２は、それぞれフレーム１４（１４Ａ）およびフレーム１４（１４Ｄ）上に位置している。
【００３３】
５つのフレーム１４（１４Ａ〜１４Ｅ）は、内側部１１とともに、内側部１１と外枠部１２との間の領域を区画することによって、それぞれ、５つの第１開口領域Ｒ１０Ａ〜Ｒ１０Ｅを形成している。図示上の便宜のため、図４の中の第１開口領域Ｒ１０Ａ〜Ｒ１０Ｅを示す部分には、右肩上がりのハッチング線を付している。第１開口領域Ｒ１０Ａ〜Ｒ１０Ｅは、周方向に（反時計回り方向に）沿って順に並んでおり、内側部１１の周囲を全体として環状に取り囲んでいる（図３も参照）。
【００３４】
図５に示すように、フレーム１４（１４Ａ）は円形状ＡＡ（中心１４ＡＡ）の一部からなる円弧形状を有し、フレーム１４（１４Ｂ）は円形状ＢＢ（中心１４ＢＢ）の一部からなる円弧形状を有し、フレーム１４（１４Ｃ）は円形状ＣＣ（中心１４ＣＣ）の一部からなる円弧形状を有し、フレーム１４（１４Ｄ）は円形状ＤＤ（中心１４ＤＤ）の一部からなる円弧形状を有し、フレーム１４（１４Ｅ）は円形状ＥＥ（中心１４ＥＥ）の一部からなる円弧形状を有している。
【００３５】
円形状ＡＡ〜ＥＥは、同一の直径を有していてもよいし、互いに異なる直径を有していてもよい。円形状ＡＡ〜ＥＥは、内側部１１と同一の直径を有していてもよいし、内側部１１と異なる直径を有していてもよい。
【００３６】
図５および図６を参照して、複数のフレーム１４（１４Ａ〜１４Ｅ）を構成している複数の円弧形状の一つ一つに対応する円形状ＡＡ〜ＥＥ（図５）の中心１４ＡＡ〜１４ＥＥは、互いに異なる位置に設けられている。本実施の形態では、円形状ＡＡ〜ＥＥ（図５）の中心１４ＡＡ〜１４ＥＥは、内側部１１の中心１１Ｃを起点とする１つの螺旋曲線１４ＳＰ上に位置している。螺旋曲線１４ＳＰは、たとえばｒ＝５×θ＾０．４の式で定義される曲線である。
【００３７】
（線状リブ１５）
図７および図８は、ファンガード１０の一部（具体的には、内側部１１、複数のフレーム１４および複数の線状リブ１５）を示す正面図であり、複数の線状リブ１５（第１線状リブ）の構成を説明するための図である。説明上の便宜のため、図７および図８においては、フレーム１６、線状リブ１７、線状リブ１８および外枠部１２は図示されていない（図３参照）。図７の中の複数の線状リブ１５を示す部分には、左肩上がりのハッチング線を付している。
【００３８】
複数の線状リブ１５は、複数のフレーム１４（１４Ａ〜１４Ｅ）の各々の内側に設けられる。換言すると、複数の線状リブ１５は、第１開口領域Ｒ１０Ａ〜Ｒ１０Ｅの各々の中に配置され、第１開口領域Ｒ１０Ａ〜Ｒ１０Ｅの各々を区画して小さな小窓を形成している。
【００３９】
図７を参照して、フレーム１４（１４Ｄ）の内側に設けられた複数の線状リブ１５について見ると、線状リブ１５（１５Ｄ１）は、位置Ｄ１１から位置Ｄ１２まで延在する円弧形状を有し、線状リブ１５（１５Ｄ２）は、位置Ｄ２１から位置Ｄ２２まで延在する円弧形状を有し、線状リブ１５（１５Ｄ３）は、位置Ｄ３１から位置Ｄ３２まで延在する円弧形状を有している。
【００４０】
同様に、フレーム１４（１４Ｅ）の内側に設けられた複数の線状リブ１５について見ると、線状リブ１５（１５Ｅ１）は、位置Ｅ１１から位置Ｅ１２まで延在する円弧形状を有し、線状リブ１５（１５Ｅ２）は、位置Ｅ２１から位置Ｅ２２まで延在する円弧形状を有し、線状リブ１５（１５Ｅ３）は、位置Ｅ３１から位置Ｅ３２まで延在する円弧形状を有している。
【００４１】
フレーム１４（１４Ｄ）の内側に形成された第１開口領域Ｒ１０Ｄと、フレーム１４（１４Ｅ）の内側に形成された第１開口領域Ｒ１０Ｅとは、互いに隣り合う位置関係にある。同様に、フレーム１４（１４Ｅ）の内側に形成された第１開口領域Ｒ１０Ｅと、フレーム１４（１４Ａ）の内側に形成された第１開口領域Ｒ１０Ａとは、互いに隣り合う位置関係にある。
【００４２】
第１開口領域Ｒ１０Ｄ（第１の第１開口領域）と、第１開口領域Ｒ１０Ｅ（第２の第１開口領域）とについて見た場合、第１開口領域Ｒ１０Ｄを区画している複数の線状リブ１５（１５Ｄ１〜１５Ｄ３）と、第１開口領域Ｒ１０Ｅを区画している複数の線状リブ１５（１５Ｅ１〜１５Ｅ３）とは、屈曲するような形で連続しているか、もしくは互いに連続しないように配置されている。本実施の形態の場合、線状リブ１５（１５Ｄ１〜１５Ｄ３）と線状リブ１５（１５Ｅ１〜１５Ｅ３）とは、いずれも互いに連続しないように配置されている。
【００４３】
「屈曲するような形で連続している」の技術的意義は次の通りである。たとえばフレーム１４（１４Ａ）の内側には、換言すると、第１開口領域Ｒ１０Ａの中には、線状リブ１５（１５Ａ１）が設けられている。線状リブ１５（１５Ａ１）の端部Ａ１１は、フレーム１４（１４Ａ）を間に挟んで線状リブ１５（１５Ｅ２）の端部（位置Ｅ２２）に対向している。「屈曲するような形で連続している」とは、線状リブ１５（１５Ａ１）および線状リブ１５（１５Ｅ２）の端部同士は互いに対向するように配置されているが、これらの端部同士は滑らかな曲線では繋がっていない（変曲点が現れるような、角部を介して繋がっている）ことを意味する。
【００４４】
本実施の形態では、複数の線状リブ１５に関する上記の配置関係（具体的には、隣接する２つの開口領域を区画している複数の第１線状リブが、屈曲するような形で連続しているか、もしくは互いに連続しないように配置されているという配置関係）は、第１開口領域Ｒ１０Ａ〜Ｒ１０Ｅの中に設けられたすべての線状リブ１５について成立している。
【００４５】
図８に示すように、線状リブ１５（１５Ｄ１）は円形状ＤＲ１（中心ＤＲ）の一部からなる円弧形状を有し、線状リブ１５（１５Ｄ２）は円形状ＤＲ２（中心ＤＲ）の一部からなる円弧形状を有し、線状リブ１５（１５Ｄ３）は円形状ＤＲ３（中心ＤＲ）の一部からなる円弧形状を有している。換言すると、１つの第１開口領域Ｒ１０Ｄの中に配置された複数の線状リブ１５（１５Ｄ１〜１５Ｄ３）が、中心ＤＲを中心とする同心円状に並んで配置されている。
【００４６】
同様に、線状リブ１５（１５Ｅ１）は円形状ＥＲ１（中心ＥＲ）の一部からなる円弧形状を有し、線状リブ１５（１５Ｅ２）は円形状ＥＲ２（中心ＥＲ）の一部からなる円弧形状を有し、線状リブ１５（１５Ｅ３）は円形状ＥＲ３（中心ＥＲ）の一部からなる円弧形状を有している。換言すると、１つの第１開口領域Ｒ１０Ｅの中に配置された複数の線状リブ１５（１５Ｅ１〜１５Ｅ３）も、中心ＥＲを中心とする同心円状に並んで配置されている。
【００４７】
図８に示すように、好ましくは、複数の線状リブ１５（１５Ｄ１〜１５Ｄ３）の位置を規定している同心円の中心位置（中心ＤＲ位置）は、内側部１１の中心１１Ｃの位置とは異なる位置に設けられる。同様に、複数の線状リブ１５（１５Ｅ１〜１５Ｅ３）の位置を規定している同心円の中心位置（中心ＥＲ位置）も、内側部１１の中心１１Ｃの位置とは異なる位置に設けられる。
【００４８】
好ましくは、１つの第１開口領域Ｒ１０Ｄの中に配置された複数の線状リブ１５（１５Ｄ１〜１５Ｄ３）は、同心円の径方向において等間隔（たとえば１０ｍｍ間隔）に配置される。これは、円形状ＤＲ１と円形状ＤＲ２との直径の差と、円形状ＤＲ２と円形状ＤＲ３との直径の差とが等しいことと同義である。同様に、１つの第１開口領域Ｒ１０Ｅの中に配置された複数の線状リブ１５（１５Ｅ１〜１５Ｅ３）も、好ましくは同心円の径方向において等間隔に配置される。
【００４９】
本実施の形態では、複数の線状リブ１５に関するこれらの配置関係（具体的には、複数の線状リブを規定している同心円の中心位置が内側部１１の中心１１Ｃとは異なる位置であり、複数の線状リブが同心円の径方向において等間隔に配置されているという配置関係）は、第１開口領域Ｒ１０Ａ〜Ｒ１０Ｅの中に設けられたすべての線状リブ１５について成立している。
【００５０】
図７を再び参照して、本実施の形態における複数の線状リブ１５は、内側部１１を中心とする周方向における一方の端部と他方の端部とを有している。たとえば、線状リブ１５（１５Ｅ２）は、一方の端部（位置Ｅ２１）と、他方の端部（位置Ｅ２２）とを有しており、これらの端部は周方向においてずれた位置に設けられている。ここで言う周方向とは、ファンガードを正面視した場合の時計回り方向と定義することもできるし、ファンガードを正面視した場合の反時計回り方向と定義することもできる。どちらでも構わない。一方の端部（位置Ｅ２１）と内側部１１の中心１１Ｃの位置との間の距離をＬ１とし、他方の端部（位置Ｅ２２）と内側部１１の中心１１Ｃの位置との間の距離をＬ２とした場合、すべての線状リブ１５についてＬ１＞Ｌ２の関係が成立していることが好ましい。
【００５１】
本実施の形態では、ここで言う周方向が、ファンの回転方向に一致している（図１参照）。したがって、線状リブ１５（１５Ｅ２）について見れば、ファンの回転方向における前方側に位置する一方の端部（位置Ｅ２１）が径方向の外側に位置し、ファンの回転方向における後方側に位置する他方の端部（位置Ｅ２２）が径方向の内側に位置する。このような構成を有する線状リブ１５によれば、送出される風の持つスワール成分に対して同じ方向の螺旋をもっていることになるため、線状リブ１５（１５Ｅ２）の近傍を通過する風を拡散させることが可能となる。この場合とは逆に、ここで言う周方向が、ファンの回転方向と逆向きであっても構わない。その場合には、上記のような構成を有する線状リブ１５によれば、送出される風の持つスワール成分を抑える方向の螺旋をもっていることになり、スワール成分が軽減されて軸流成分に変換され、線状リブ１５（１５Ｅ２）の近傍を通過する風を収束させることが可能となる。すべての線状リブ１５についてＬ１＞Ｌ２の関係が成立していることによって、大きな拡散または収束の効果が得られる。
【００５２】
（フレーム１６）
図９および図１０は、ファンガード１０の一部を示す正面図であり、複数のフレーム１６（第２フレーム）の構成を説明するための図である。本実施の形態におけるファンガードは、複数（６つ）のフレーム１６（１６Ｐ〜１６Ｕ）を有している。説明上の便宜のため、図９においては、線状リブ１５、線状リブ１７および線状リブ１８は図示されていない（図３参照）。図１０においては、線状リブ１７、線状リブ１８および外枠部１２は図示されていない。
【００５３】
図９に示すように、フレーム１６（１６Ｐ）は、位置Ｐ１から位置Ｐ２まで延在する円弧形状を有しており、フレーム１６（１６Ｑ）は、位置Ｑ１から位置Ｑ２まで延在する円弧形状を有しており、フレーム１６（１６Ｒ）は、位置Ｒ１から位置Ｒ２まで延在する円弧形状を有しており、フレーム１６（１６Ｓ）は、位置Ｓ１から位置Ｓ２まで延在する円弧形状を有しており、フレーム１６（１６Ｔ）は、位置Ｔ１から位置Ｔ２まで延在する円弧形状を有しており、フレーム１６（１６Ｕ）は、位置Ｕ１から位置Ｕ２まで延在する円弧形状を有している。
【００５４】
ここで、内側部１１の周囲を全体として環状に取り囲んでいる５つの第１開口領域Ｒ１０Ａ〜Ｒ１０Ｅを、１つの内側領域と定義する。内側領域とは、５つの第１開口領域Ｒ１０Ａ〜Ｒ１０Ｅを合わせた領域である。位置Ｐ１，Ｐ２，Ｑ１，Ｒ１，Ｓ１，Ｔ１は、内側領域の外周上に位置している。位置Ｑ２は、フレーム１６（１６Ｐ）上に位置し、位置Ｒ２は、フレーム１６（１６Ｑ）上に位置し、位置Ｓ２は、フレーム１６（１６Ｒ）上に位置し、位置Ｔ２は、フレーム１６（１６Ｓ）上に位置し、位置Ｕ１，Ｕ２は、それぞれフレーム１６（１６Ｐ）およびフレーム１６（１６Ｔ）上に位置している。
【００５５】
６つのフレーム１６（１６Ｐ〜１６Ｕ）は、内側領域（第１開口領域Ｒ１０Ａ〜Ｒ１０Ｅ）とともに、内側領域と外枠部１２との間の領域を区画することによって、それぞれ、６つの第２開口領域Ｒ２０Ｐ〜Ｒ２０Ｕを形成している。図示上の便宜のため、図９の中の第２開口領域Ｒ２０Ｐ〜Ｒ２０Ｕを示す部分には、左肩上がりのハッチング線を付している。第２開口領域Ｒ２０Ｐ〜Ｒ２０Ｕは、周方向に（反時計回り方向に）沿って順に並んでおり、内側領域（第１開口領域Ｒ１０Ａ〜Ｒ１０Ｅ）の周囲を全体として環状に取り囲んでいる（図３も参照）。
【００５６】
図１０に示すように、フレーム１６（１６Ｐ）は、他の円形状ＰＰの一部からなる他の円弧形状を有しており、フレーム１６（１６Ｑ）は、他の円形状ＱＱの一部からなる他の円弧形状を有しており、フレーム１６（１６Ｒ）は、他の円形状ＲＲの一部からなる他の円弧形状を有しており、フレーム１６（１６Ｓ）は、他の円形状ＳＳの一部からなる他の円弧形状を有しており、フレーム１６（１６Ｔ）は、他の円形状ＴＴの一部からなる他の円弧形状を有しており、フレーム１６（１６Ｕ）は、他の円形状ＵＵの一部からなる他の円弧形状を有している。
【００５７】
他の円形状ＰＰ〜ＵＵは、それぞれ中心１６ＰＰ〜１６ＵＵを有するものである。他の円形状ＰＰ〜ＵＵは、同一の直径を有していてもよいし、互いに異なる直径を有していてもよい。他の円形状ＰＰ〜ＵＵは、円形状ＡＡ〜ＥＥや内側部１１と同一の直径を有していてもよいし、内側部１１と異なる直径を有していてもよい。本実施の形態では、複数のフレーム１６（１６Ｐ〜１６Ｕ）を構成している複数の他の円弧形状の一つ一つに対応する他の円形状ＰＰ〜ＵＵの中心１６ＰＰ〜１６ＵＵは、互いに異なる位置に設けられている。
【００５８】
（線状リブ１７）
図１１および図１２は、ファンガード１０の一部（具体的には、内側部１１、複数のフレーム１４、複数のフレーム１６、および複数の線状リブ１７）を示す正面図であり、複数の線状リブ１７（第２線状リブ）の構成を説明するための図である。説明上の便宜のため、図１１および図１２においては、線状リブ１５、線状リブ１８および外枠部１２は図示されていない（図３参照）。図１１の中の複数の線状リブ１７を示す部分には、左肩上がりのハッチング線を付している。
【００５９】
複数の線状リブ１７は、複数のフレーム１６（１６Ｐ〜１６Ｕ）の各々の内側に設けられる。換言すると、複数の線状リブ１７は、第２開口領域Ｒ２０Ｐ〜Ｒ２０Ｕの各々の中に配置され、第２開口領域Ｒ２０Ｐ〜Ｒ２０Ｕの各々を区画して小さな小窓を形成している。
【００６０】
図１１を参照して、フレーム１６（１６Ｔ）の内側に設けられた複数の線状リブ１７について見ると、線状リブ１７（１７Ｔ１）は、位置Ｔ１１から位置Ｔ１２まで延在する円弧形状を有し、線状リブ１７（１７Ｔ２）は、位置Ｔ２１から位置Ｔ２２まで延在する円弧形状を有し、線状リブ１７（１７Ｔ３）は、位置Ｔ３１から位置Ｔ３２まで延在する円弧形状を有し、線状リブ１７（１７Ｔ４）は、位置Ｔ４１から位置Ｔ４２まで延在する円弧形状を有している。
【００６１】
同様に、フレーム１６（１６Ｕ）の内側に設けられた複数の線状リブ１７について見ると、線状リブ１７（１７Ｕ１）は、位置Ｕ１１から位置Ｕ１２まで延在する円弧形状を有し、線状リブ１７（１７Ｕ２）は、位置Ｕ２１から位置Ｕ２２まで延在する円弧形状を有し、線状リブ１７（１７Ｕ３）は、位置Ｕ３１から位置Ｕ３２まで延在する円弧形状を有し、線状リブ１７（１７Ｕ４）は、位置Ｕ４１から位置Ｕ４２まで延在する円弧形状を有している。
【００６２】
フレーム１６（１６Ｔ）の内側に形成された第２開口領域Ｒ２０Ｔと、フレーム１６（１６Ｕ）の内側に形成された第２開口領域Ｒ２０Ｕとは、互いに隣り合う位置関係にある。第２開口領域Ｒ２０Ｔと、第２開口領域Ｒ２０Ｕとについて見た場合、第２開口領域Ｒ２０Ｔを区画している複数の線状リブ１７（１７Ｔ１〜１７Ｔ４）と、第２開口領域Ｒ２０Ｕを区画している複数の線状リブ１７（１７Ｕ１〜１７Ｕ４）とは、屈曲するような形で連続しているか、もしくは互いに連続しないように配置されている。本実施の形態の場合、線状リブ１７（１７Ｔ１〜１７Ｔ４）と線状リブ１７（１７Ｕ１〜１７Ｕ４）とは、いずれも互いに連続しないように配置されている。
【００６３】
フレーム１６（１６Ｐ）の内側には、換言すると、第２開口領域Ｒ２０Ｐの中には、線状リブ１７（１７Ｐ１）が設けられている。線状リブ１７（１７Ｐ１）の端部Ｐ１１は、線状リブ１７（１７Ｕ３）の端部（位置Ｕ３２）の近くに位置しているが、これらの端部同士は滑らかな曲線では繋がっていない。
【００６４】
本実施の形態では、複数の線状リブ１７に関する上記の配置関係（具体的には、隣接する２つの開口領域を区画している複数の第２線状リブが、屈曲するような形で連続しているか、もしくは互いに連続しないように配置されているという配置関係）は、第２開口領域Ｒ２０Ｐ〜Ｒ２０Ｕの中に設けられたすべての線状リブ１７について成立している。
【００６５】
図１２に示すように、線状リブ１７（１７Ｔ１）は、円形状ＴＲ１の一部からなる他の円弧形状を有しており、線状リブ１７（１７Ｔ２）は、円形状ＴＲ２の一部からなる他の円弧形状を有しており、線状リブ１７（１７Ｔ３）は、円形状ＴＲ３の一部からなる他の円弧形状を有しており、線状リブ１７（１７Ｔ４）は、円形状ＴＲ４の一部からなる他の円弧形状を有している。円形状ＴＲ１〜ＴＲ４は、共通の中心ＴＲを有するものである。これらを換言すると、１つの第２開口領域Ｒ２０Ｔの中に配置された複数の線状リブ１７（１７Ｔ１〜１７Ｔ４）が、中心ＴＲを中心とする同心円状に並んで配置されている。
【００６６】
同様に、線状リブ１７（１７Ｕ１）は、円形状ＵＲ１の一部からなる他の円弧形状を有しており、線状リブ１７（１７Ｕ２）は、円形状ＵＲ２の一部からなる他の円弧形状を有しており、線状リブ１７（１７Ｕ３）は、円形状ＵＲ３の一部からなる他の円弧形状を有しており、線状リブ１７（１７Ｕ４）は、円形状ＵＲ４の一部からなる他の円弧形状を有している。円形状ＵＲ１〜ＵＲ４は、共通の中心ＵＲを有するものである。これらを換言すると、１つの第２開口領域Ｒ２０Ｕの中に配置された複数の線状リブ１７（１７Ｕ１〜１７Ｕ４）も、中心ＵＲを中心とする同心円状に並んで配置されている。
【００６７】
好ましくは、複数の線状リブ１７（１７Ｔ１〜１７Ｔ４）の位置を規定している同心円の中心位置（中心ＴＲ位置）は、内側部１１の中心１１Ｃの位置とは異なる位置に設けられる。同様に、複数の線状リブ１７（１７Ｕ１〜１７Ｕ４）の位置を規定している同心円の中心位置（中心ＵＲ位置）も、内側部１１の中心１１Ｃの位置とは異なる位置に設けられる。
【００６８】
好ましくは、１つの第２開口領域Ｒ２０Ｔの中に配置された複数の線状リブ１７（１７Ｔ１〜１７Ｔ４）は、同心円の径方向において等間隔に配置される。これは、円形状ＴＲ１と円形状ＴＲ２との直径の差と、円形状ＴＲ２と円形状ＴＲ３との直径の差と、円形状ＴＲ３と円形状ＴＲ４との直径の差とが等しいことと同義である。同様に、１つの第２開口領域Ｒ２０Ｕの中に配置された複数の線状リブ１７（１７Ｕ１〜１７Ｕ４）も、同心円の径方向において等間隔に配置される。
【００６９】
本実施の形態では、複数の線状リブ１７に関するこれらの配置関係（具体的には、複数の線状リブを規定している同心円の中心位置が内側部１１の中心１１Ｃとは異なる位置であり、複数の線状リブが同心円の径方向において等間隔に配置されているという配置関係）は、第２開口領域Ｒ２０Ｐ〜Ｒ２０Ｕの中に設けられたすべての線状リブ１７について成立している。
【００７０】
図１１を再び参照して、本実施の形態における複数の線状リブ１７は、内側部１１を中心とする周方向における一方の端部と他方の端部とを有している。たとえば、線状リブ１７（１７Ｔ２）は、一方の端部（位置Ｔ２１）と、他方の端部（位置Ｔ２２）とを有しており、これらの端部は周方向においてずれた位置に設けられている。ここで言う周方向とは、ファンガードを正面視した場合の時計回り方向と定義することもできるし、ファンガードを正面視した場合の反時計回り方向と定義することもできる。どちらでも構わない。一方の端部（位置Ｔ２１）と内側部１１の中心１１Ｃの位置との間の距離をＬ３とし、他方の端部（位置Ｔ２２）と内側部１１の中心１１Ｃの位置との間の距離をＬ４とした場合、すべての線状リブ１７についてＬ３＞Ｌ４の関係が成立していることが好ましい。
【００７１】
本実施の形態では、ここで言う周方向が、ファンの回転方向に一致している（図１参照）。したがって、線状リブ１７（１７Ｔ２）について見れば、ファンの回転方向における前方側に位置する一方の端部（位置Ｔ２１）が径方向の外側に位置し、ファンの回転方向における後方側に位置する他方の端部（位置Ｔ２２）が径方向の内側に位置する。このような構成を有する線状リブ１７によれば、線状リブ１７（１７Ｔ２）の近傍を通過する風を拡散させることが可能となる。この場合とは逆に、ここで言う周方向が、ファンの回転方向と逆向きであっても構わない。その場合には、上記のような構成を有する線状リブ１７によれば、線状リブ１７（１７Ｔ２）の近傍を通過する風を収束させることが可能となる。すべての線状リブ１７についてＬ３＞Ｌ４の関係が成立していることによって、大きな拡散または収束の効果が得られる。
【００７２】
図１３を参照して、本実施の形態では、第１開口領域Ｒ１０Ａ〜Ｒ１０Ｅの中に設けられた複数の線状リブ１５と、第２開口領域Ｒ２０Ｐ〜Ｒ２０Ｕの中に設けられた複数の線状リブ１７とについても、屈曲するような形で連続しているか、もしくは互いに連続しないように配置されている。たとえば、図１３中の点線ＰＥで示す箇所において、線状リブ１５（１５Ｃ３）の端部は、フレーム１４（１４Ｃ）を間に挟んで線状リブ１７（１７Ｓ１）の端部に対向しているが、これらの端部同士は滑らかな曲線では繋がっていない（角部を介して繋がっている）。本実施の形態では、複数の線状リブ１５，１７に関する上記の配置関係は、すべての線状リブ１５，１７について成立している。
【００７３】
（線状リブ１８）
図１４および図１５は、ファンガード１０の一部を示す正面図であり、複数の線状リブ１８（第３線状リブ）の構成を説明するための図である。説明上の便宜のため、図１４においては、線状リブ１５および線状リブ１７は図示されていない（図３参照）。図１５においては、内側部１１、フレーム１４、線状リブ１５、フレーム１６、および線状リブ１７は図示されていない（図３参照）。図１４の中の複数の線状リブ１８を示す部分には、左肩上がりのハッチング線を付している。
【００７４】
上述のとおり、内側部１１の周囲を全体として環状に取り囲んでいる５つの第１開口領域Ｒ１０Ａ〜Ｒ１０Ｅを、１つの内側領域と定義できる。内側領域とは、５つの第１開口領域Ｒ１０Ａ〜Ｒ１０Ｅを合わせた領域である。ここで、内側領域の周囲を全体として環状に取り囲んでいる６つの第２開口領域Ｒ２０Ｐ〜Ｒ２０Ｕを、１つの中間領域と定義できる。中間領域とは、６つの第２開口領域Ｒ２０Ｐ〜Ｒ２０Ｕを合わせた領域である。複数の線状リブ１８は、この中間領域と外枠部１２との間に配置される。
【００７５】
線状リブ１８の一方の端部（たとえば図１４中の端部１８Ｔ）は、外枠部１２上に位置しており、線状リブ１８の他方の端部（たとえば図１４中の端部１８Ｕ）は、この中間領域の外周上に位置している。
【００７６】
図１５に示すように、線状リブ１８（１８Ａ）は、円形状１８Ｒ１の一部からなる円弧形状を有しており、線状リブ１８（１８Ｂ）は、円形状１８Ｒ２の一部からなる円弧形状を有しており、線状リブ１８（１８Ｃ）は、円形状１８Ｒ３の一部からなる円弧形状を有している。円形状１８Ｒ１〜１８Ｒ３は、それぞれ、中心１８ＡＡ〜１８ＣＣを有しており、これらは同一の直径を持つ。
【００７７】
複数の線状リブ１８は、内側部１１の中心１１Ｃの位置を中心とする回転対称性を有するように配置されている。ここで言う回転対称性とは、内側部１１の中心１１Ｃの周りに、線状リブ１８を所定角度θで回転させたとき、同じ図形が繰り返される性質を意味する。これらの特徴は、すべての線状リブ１８が満足している。
【００７８】
図１４を再び参照して、本実施の形態における複数の線状リブ１８は、内側部１１を中心とする周方向における一方の端部と他方の端部とを有している。線状リブ１８の一方の端部１８Ｔと、他方の端部１８Ｕとは周方向においてずれた位置に設けられている。ここで言う周方向とは、ファンガードを正面視した場合の時計回り方向と定義することもできるし、ファンガードを正面視した場合の反時計回り方向と定義することもできる。どちらでも構わない。一方の端部１８Ｔと内側部１１の中心１１Ｃの位置との間の距離をＬ５とし、他方の端部１８Ｕと内側部１１の中心１１Ｃの位置との間の距離をＬ６とした場合、すべての線状リブ１８についてＬ５＞Ｌ６の関係が成立していることが好ましい。
【００７９】
本実施の形態では、ここで言う周方向が、ファンの回転方向に一致している（図１参照）。したがって、ファンの回転方向における前方側に位置する一方の端部１８Ｔが径方向の外側に位置し、ファンの回転方向における後方側に位置する他方の端部１８Ｕが径方向の内側に位置する。このような構成を有する線状リブ１８によれば、線状リブ１８の近傍を通過する風を拡散させることが可能となる。この場合とは逆に、ここで言う周方向が、ファンの回転方向と逆向きであっても構わない。その場合には、上記のような構成を有する線状リブ１８によれば、線状リブ１８の近傍を通過する風を収束させることが可能となる。すべての線状リブ１８についてＬ５＞Ｌ６の関係が成立していることによって、大きな拡散または収束の効果が得られる。
【００８０】
（作用および効果）
上記のような構成を有するファンガード１０においては、第１開口領域Ｒ１０Ａ〜Ｒ１０Ｅのうちの隣接する２つの第１開口領域を区画している複数の線状リブ１５（第１線状リブ）が、屈曲するような形で連続しているか、もしくは互いに連続しないように配置されている。この構成によれば、第１開口領域Ｒ１０Ａ〜Ｒ１０Ｅの各々を通して吹き出される気流の向きが、線状リブ１５によって互いに異なる方向に規定されることになる。第１開口領域Ｒ１０Ａ〜Ｒ１０Ｅの各々を通して吹き出される気流の向きは、ファン３０の回転方向や、線状リブ１５の位置、形状（傾き）および大きさに応じて、複数の第１開口領域Ｒ１０Ａ〜Ｒ１０Ｅ毎に所望の値に設定されることとなる。これらの効果については、第２開口領域Ｒ２０Ｐ〜Ｒ２０Ｕの中に設けられた複数の線状リブ１７についても同様である。各リブの傾きの変更によって、拡散／収束の調整が可能である。拡散度合いを強めたい場合には各リブをより寝かせる方向に設定すればよく、収束度合いを強めたい場合は各リブを起こす方向に設定すればよく、これらを可変できるような構造に設計してもよい。
【００８１】
ここで、扇風機の新しい使い方について述べる。従来、扇風機は夏期に単独で用いられ、風を使用者に吹き付け、涼感を与えるものであった。大風量かつ風速の早い風を収束させ、使用者に吹き付けることが求められていた。その後、夏期には扇風機に代わってエアコンが単独で用いられることが主流になり、扇風機は初夏または秋といった、エアコンを使用するほど暑くない時期に補助的に用いられるようになった。但し、このような変遷を経たのちも、扇風機に求められる仕様は旧来と同様のものであった。近年、地球環境保全や省エネルギーの観点から、夏期に、エアコンと扇風機とがしばしば併用して使用されている。エアコンと扇風機との併用により、部屋の中の温度にムラが生じることを解消できる。扇風機からの風により体感温度を下げることで、エアコンの設定温度を弱めに設定することができる。しかし、エアコンから吹き出された空気の温度は低いため、従来の扇風機を用いて大風量かつ風速の早い風を収束させて使用者に吹き付けると、必要以上の体温低下を招き、快適性が低くなる懸念がある。そこで、大風量の風を収束させるのではなく広範囲に広げ、優しい風を作りたいという要望が近年見られている。本実施の形態で開示した思想をファンガードに適用することにより、第１開口領域を通して吹き出される気流の向きを複数の第１開口領域毎に設定することができるため、本実施の形態はこのような要望にも応え得るものであると言える。
【００８２】
上述のとおり、ファンガード１０においては、複数のフレーム１４の各々は、円形状ＡＡ〜ＥＥ（図５）の一部からなる円弧形状を有しており、複数のフレーム１４を構成している複数の円弧形状の一つ一つに対応する円形状ＡＡ〜ＥＥ（図５）の中心１４ＡＡ〜１４ＥＥは、互いに異なる位置に設けられている。複数のフレーム１４を構成している複数の円弧形状の一つ一つに対応する円形状の中心１４ＡＡ〜１４ＥＥは、１つの螺旋曲線１４ＳＰ（図６）上に位置している。これらの技術的思想によれば、複数の第１開口領域の形状が同一にならないため（形状のランダム性が高まるため）、ファンとの干渉音（特にＮＺ音）を抑制できる。たとえば、本実施の形態におけるファンガード１０のように、内側部１１および複数のフレーム１４によって一輪の花形状を描くことも可能となり、商業的効果も期待できる。これらの効果については、複数のフレーム１４の外周に設けられた複数のフレーム１６についても同様である。
【００８３】
上述のとおり、ファンガード１０においては、１つの第１開口領域の中に配置された複数の線状リブ１５は、同心円状に並んで配置されている。複数の線状リブ１５の位置を規定している同心円の中心位置は、内側部１１の中心位置とは異なる位置である。１つの第１開口領域の中に配置された複数の線状リブ１５は、同心円の径方向において等間隔に配置されている。これらの技術的思想によれば、全体として開口面積が略同様な、送風のための適切な開口形状を確保することが可能となり、幾何学的に整然と配列された線状リブ１５によれば、ファンガード１０（送風装置１００）の使用者により多くの美観を与えることも期待できる。これらの効果については、複数のフレーム１６の外周に設けられた複数の線状リブ１８についても同様である。
【００８４】
図１６を参照して、本実施の形態の送風装置１００（図１，図２）は、ファン３０の後縁部３０Ｅとファンガード１０のガード部１３とを対向させた状態で、後縁部３０Ｅを正面側に向かって軸方向に投影した場合に、後縁部３０Ｅの投影像は、ファンガード１０のガード部１３の一部にのみ交差するという特徴も備えている。ファン３０が回転したとしても、そのファン３０の後縁部３０Ｅの投影像がガード部１３の一部（任意箇所）にぴったりと重なることはなく、常に、ガード部１３の一部にのみ交差する。当該構成によれば、ファン３０の後縁部３０Ｅがガード部１３の一部とすれ違う際に生じ得る干渉音（風切音）の発生が抑制されるため、送風装置１００の動作に伴う騒音を小さくすることができる。
【００８５】
上記のような構成に加えて、ファン３０の背面側に向かって軸方向にファンガード１０のガード部１３を投影した場合（図１参照）、ガード部１３の投影像は、ファン３０の背面側に配置される背面側ファンガード２０のガード部に重なる部分を有していることが好ましい。このガード部に重なる部分（ファンガード１０の投影像と背面側ファンガード２０の形状とが一致する部分）は、できるだけ大きい方が好ましい。背面側ファンガード２０を通して取り込まれた気流が、ファン３０を介してファンガード１０からそのままスムーズに吹き出されることが可能となる。圧損が低減され、風量を増大させることが可能となる。また、正面側から送風装置１００を見たときのデザイン的な煩雑さも軽減され、美観を高めることも可能となる。
【００８６】
［実施の形態２］
図１７を参照して、実施の形態２におけるファンガード１０Ａについて説明する。ファンガード１０Ａにおいては、複数のフレーム１４（１４Ａ〜１４Ｅ）を構成している複数の円弧形状の一つ一つに対応する円形状ＡＡ〜ＥＥは、内側部１１の中心１１Ｃを起点とする１つの螺旋曲線１４ＳＰに内接するように配置されている。
【００８７】
図１７には図示していないが、ファンガード１０Ａにおける線状リブ１５、フレーム１６、線状リブ１７および線状リブ１８の構成については、上述の実施の形態１と同様のものを採用できる。この技術的思想によっても、内側部１１および複数のフレーム１４によって一輪の花形状を描くことも可能となり、商業的効果も期待できる。
【００８８】
［実施の形態３］
図１８を参照して、実施の形態３におけるファンガード１０Ｂについて説明する。ファンガード１０Ｂは、線状リブ１８の形状において、実施の形態１のファンガード１０（図３）と異なる。複数の線状リブ１８は、実施の形態１のファンガード１０の場合とは反対向きに湾曲する形状を有している。
【００８９】
実施の形態１のファンガード１０では、第１開口領域Ｒ１０Ａ〜Ｒ１０Ｅの中の線状リブ１５の近傍を通過する気流、第２開口領域Ｒ２０Ｐ〜Ｒ２０Ｕの中の線状リブ１７の近傍を通過する気流、および、線状リブ１８の近傍を通過する気流のいずれもが、拡散および収束のうちの一方を形成する。上述のとおり、各リブが拡散機能を発揮するか収束機能を発揮するかについては、ファンガードに適用されるファン３０（図１）の回転方向に応じて規定される。
【００９０】
一方、本実施の形態のファンガード１０Ｂにおいては、第１開口領域Ｒ１０Ａ〜Ｒ１０Ｅの中の線状リブ１５の近傍を通過する気流、および第２開口領域Ｒ２０Ｐ〜Ｒ２０Ｕの中の線状リブ１７の近傍を通過する気流は、ファン３０の回転方向に応じて、拡散および収束のうちの一方を形成する。線状リブ１８の近傍を通過する気流は、ファン３０の回転方向に応じて、拡散および収束のうちの他方を形成する。各領域を通して吹き出される気流の向きは、ファン３０の回転方向や、線状リブ１５，１７，１８の位置、形状および大きさに応じて、各領域毎に所望の値に設定されることとなる。
【００９１】
［実施の形態４］
図１９を参照して、実施の形態４におけるファンガード１０Ｃについて説明する。ファンガード１０Ｃは、線状リブ１８の形状において、実施の形態１のファンガード１０（図３）と異なる。複数の線状リブ１８は、内側部１１の中心１１Ｃの位置を中心とする放射状に配置されている。
【００９２】
実施の形態４のファンガード１０Ｃにおいても、第１開口領域Ｒ１０Ａ〜Ｒ１０Ｅの中の線状リブ１５の近傍を通過する気流、および第２開口領域Ｒ２０Ｐ〜Ｒ２０Ｕの中の線状リブ１７の近傍を通過する気流は、ファン３０の回転方向に応じて、拡散および収束のうちの一方を形成する。線状リブ１８の近傍を通過する気流は、ファン３０の回転方向に応じて、拡散および収束のうちの他方を形成する。各領域を通して吹き出される気流の向きは、ファン３０の回転方向や、線状リブ１５，１７，１８の位置、形状および大きさに応じて、各領域毎に所望の値に設定されることとなる。
【００９３】
［実施の形態５］
図２０を参照して、実施の形態５におけるファンガード１０Ｄについて説明する。ファンガード１０Ｄのガード部１３は、フレーム１４、線状リブ１５および線状リブ１８を含んでいるが、実施の形態１〜４の場合とは異なりフレーム１６および線状リブ１７を有していない。円弧形状を有する５つのフレーム１４の内側には、それぞれ、第１開口領域Ｒ１０Ａ〜Ｒ１０Ｅが形成されている。
【００９４】
第１開口領域Ｒ１０Ａ〜Ｒ１０Ｅは、周方向に（反時計回り方向に）沿って順に並んでおり、内側部１１の周囲を全体として環状に取り囲んでいる。第１開口領域Ｒ１０Ａ〜Ｒ１０Ｅのうちの隣接する２つの第１開口領域を区画している複数の線状リブ１５（第１線状リブ）は、屈曲するような形で連続しているか、もしくは互いに連続しないように配置されている。ファンガード１０Ｄによっても、上述の各実施の形態と略同様の作用および効果を得ることができる。
【００９５】
［実施の形態６］
図２１を参照して、実施の形態６におけるファンガード１０Ｅについて説明する。ファンガード１０Ｅのガード部１３も、フレーム１４、線状リブ１５および線状リブ１８を含んでいるが、実施の形態１〜４の場合とは異なりフレーム１６および線状リブ１７を有していない。円弧形状を有する４つのフレーム１４は、互いに重なり合っておらず、同一の形状（回転対称の形状）を有しており、端部同士において互いに隣接するように配置されている。４つのフレーム１４の内側には、それぞれ、第１開口領域Ｒ１０Ａ〜Ｒ１０Ｄが形成されている。ファンガード１０Ｅによっても、上述の各実施の形態と略同様の作用および効果を得ることができる。
【００９６】
［実施の形態７］
図２２を参照して、実施の形態７におけるファンガード１０Ｆについて説明する。ファンガード１０Ｆにおいても、第１開口領域Ｒ１０Ａ〜Ｒ１０Ｆのうちの隣接する２つの第１開口領域を区画している複数の線状リブ１５（第１線状リブ）が、屈曲するような形で連続しているか、もしくは互いに連続しないように配置されている。
【００９７】
第１開口領域Ｒ１０Ａ，Ｒ１０Ｃ，Ｒ１０Ｅの各々の内側に設けられた複数の線状リブ１５と、第１開口領域Ｒ１０Ｂ，Ｒ１０Ｄ，Ｒ１０Ｆの各々の内側に設けられた複数の線状リブ１５とは、気流に対して発揮する作用が異なる。ファン３０（図１）の回転方向に応じて、第１開口領域Ｒ１０Ａ，Ｒ１０Ｃ，Ｒ１０Ｅの各々の内側に設けられた複数の線状リブ１５が気流の拡散機能を発揮する場合には、第１開口領域Ｒ１０Ｂ，Ｒ１０Ｄ，Ｒ１０Ｆの各々の内側に設けられた複数の線状リブ１５は気流の収束機能を発揮する。
【００９８】
ファンガード１０Ｆによっても、第１開口領域Ｒ１０Ａ〜Ｒ１０Ｆの各々を通して吹き出される気流の向きは、ファン３０の回転方向や、線状リブ１５の位置、形状および大きさに応じて、複数の第１開口領域Ｒ１０Ａ〜Ｒ１０Ｆ毎に所望の値に設定されることとなる。
【００９９】
［実施の形態８］
図２３を参照して、実施の形態８におけるファンガード１０Ｇについて説明する。ファンガード１０Ｇにおいては、複数のフレーム１４が屈曲する形状を有しており、第１開口領域Ｒ１０Ａ〜Ｒ１０Ｆが略五角形形状を有している。第１開口領域Ｒ１０Ａ〜Ｒ１０Ｆのうちの隣接する２つの第１開口領域を区画している複数の線状リブ１５（第１線状リブ）は、屈曲するような形で連続しているか、もしくは互いに連続しないように配置されている。ファンガード１０Ｇによっても、上述の各実施の形態と略同様の作用および効果を得ることができる。
【０１００】
［実施の形態９］
図２４を参照して、実施の形態９におけるファンガード１０Ｈについて説明する。ファンガード１０Ｈは、線状リブ１８の形状において、実施の形態５のファンガード１０Ｄ（図２０）と異なる。複数の線状リブ１８は、実施の形態５のファンガード１０Ｄの場合とは反対向きに湾曲する形状を有している。
【０１０１】
ファンガード１０Ｈにおいては、第１開口領域Ｒ１０Ａ〜Ｒ１０Ｅの中の線状リブ１５の近傍を通過する気流は、ファン３０の回転方向に応じて、拡散および収束のうちの一方を形成する。線状リブ１８の近傍を通過する気流は、ファン３０の回転方向に応じて、拡散および収束のうちの他方を形成する。各領域を通して吹き出される気流の向きは、ファン３０の回転方向や、線状リブ１５，１７，１８の位置、形状および大きさに応じて、各領域毎に所望の値に設定されることとなる。
【０１０２】
［実施の形態１０］
図２５を参照して、実施の形態１０におけるファンガード１０Ｉについて説明する。ファンガード１０Ｉは、線状リブ１８の形状において、実施の形態５のファンガード１０Ｄ（図２０）と異なる。複数の線状リブ１８は、内側部１１の中心１１Ｃの位置を中心とする放射状に配置されている。
【０１０３】
ファンガード１０Ｉにおいても、第１開口領域Ｒ１０Ａ〜Ｒ１０Ｅの中の線状リブ１５の近傍を通過する気流は、ファン３０の回転方向に応じて、拡散および収束のうちの一方を形成する。線状リブ１８の近傍を通過する気流は、ファン３０の回転方向に応じて、拡散および収束のうちの他方を形成する。各領域を通して吹き出される気流の向きは、ファン３０の回転方向や、線状リブ１５，１７，１８の位置、形状および大きさに応じて、各領域毎に所望の値に設定されることとなる。
【０１０４】
［実施の形態１１］
図２６〜図３０を参照して、実施の形態１１におけるファンガード１０Ｊについて説明する。図２６は、ファンガード１０Ｊを示す正面図である。ファン３０（図１）をガードするためのファンガード１０Ｊは、内側部１１、外枠部１２およびガード部１３を備える。本実施の形態におけるガード部１３は、複数のフレーム１４Ｍ，１４Ｎ、および複数の線状リブ１５Ｍ，１５Ｎを含む。
【０１０５】
（フレーム１４Ｍ，１４Ｎ）
図２７および図２８は、ファンガード１０Ｊの一部を示す正面図であり、複数のフレーム１４Ｍ，１４Ｎの構成を説明するための図である。説明上の便宜のため、図２７および図２８においては、複数の線状リブ１５Ｍ，１５Ｎは図示されていない（図２６参照）。
【０１０６】
複数のフレーム１４Ｍ，１４Ｎは、いずれも第１フレームとして機能する部材であり、内側部１１の周りに交互に並んでいる。複数のフレーム１４Ｍ，１４Ｎの一方の端部は、内側部１１の外周上に位置しており、複数のフレーム１４Ｍ，１４Ｎの他方の端部は、外枠部１２上に位置している。
【０１０７】
図２７に示すように、複数のフレーム１４Ｍ，１４Ｎは、内側部１１と外枠部１２との間の領域を区画することによって、計１４の第１開口領域Ｒ１０Ａ〜Ｒ１０Ｎを形成している。図示上の便宜のため、図２７の中の第１開口領域Ｒ１０Ａ〜Ｒ１０Ｎを示す部分には、ハッチング線を付している。第１開口領域Ｒ１０Ａ〜Ｒ１０Ｎは、周方向に（反時計回り方向に）沿って順に並んでおり、内側部１１の周囲を全体として環状に取り囲んでいる（図２６も参照）。
【０１０８】
詳細は後述するが、図２７中で、左肩上がりのハッチングで示される第１開口領域Ｒ１０Ａ，Ｒ１０Ｃ，Ｒ１０Ｅ，Ｒ１０Ｇ，Ｒ１０Ｉ，Ｒ１０Ｋ，Ｒ１０Ｍの中には、複数の線状リブ１５Ｍが設けられる（図２６参照）。図２７中で、右肩上がりのハッチングで示される第１開口領域Ｒ１０Ｂ，Ｒ１０Ｄ，Ｒ１０Ｆ，Ｒ１０Ｈ，Ｒ１０Ｊ，Ｒ１０Ｌ，Ｒ１０Ｎの中には、複数の線状リブ１５Ｎが設けられる。本実施の形態では、複数の線状リブ１５Ｍが設けられる第１開口領域と、複数の線状リブ１５Ｎが設けられる第１開口領域とが、周方向において交互に並んでいる。
【０１０９】
図２８に示すように、フレーム１４Ｎ（１４Ｎ１）は、円形状１４Ｒ１の一部からなる円弧形状を有しており、フレーム１４Ｍ（１４Ｍ１）は、円形状１４Ｒ２の一部からなる円弧形状を有しており、フレーム１４Ｎ（１４Ｎ２）は、円形状１４Ｒ３の一部からなる円弧形状を有しており、フレーム１４Ｍ（１４Ｍ２）は、円形状１４Ｒ４の一部からなる円弧形状を有している。
【０１１０】
円形状１４Ｒ１〜１４Ｒ４は、それぞれ、中心１４ＲＡ〜１４ＲＤを有しており、これらは同一の直径を持つ。複数のフレーム１４Ｍ，１４Ｎを構成している複数の円弧形状の一つ一つに対応する円形状（円形状１４Ｒ１〜１４Ｒ４など）の中心（１４ＲＡ〜１４ＲＤなど）は、互いに異なる位置に設けられている。
【０１１１】
本実施の形態における複数のフレーム１４Ｍ，１４Ｎは、内側部１１の中心１１Ｃの位置を中心とする回転対称性を有するように配置されている。内側部１１の中心１１Ｃの周りにフレーム１４Ｍ，１４Ｎを所定角度で回転させたとき、同じ図形が繰り返される。これらの特徴は、すべてのフレーム１４Ｍ，１４Ｎが満足している。
【０１１２】
（線状リブ１５Ｍ，１５Ｎ）
図２９および図３０は、ファンガード１０Ｊの一部を示す正面図であり、複数の線状リブ１５Ｍ，１５Ｎ（第１線状リブ）の構成を説明するための図である。上述のとおり、第１開口領域Ｒ１０Ａ，Ｒ１０Ｃ，Ｒ１０Ｅ，Ｒ１０Ｇ，Ｒ１０Ｉ，Ｒ１０Ｋ，Ｒ１０Ｍの中には、複数の線状リブ１５Ｍが設けられる（図２６参照）。複数の線状リブ１５Ｍは、これらの第１開口領域の各々を区画して小さな小窓を形成している。一方で、第１開口領域Ｒ１０Ｂ，Ｒ１０Ｄ，Ｒ１０Ｆ，Ｒ１０Ｈ，Ｒ１０Ｊ，Ｒ１０Ｌ，Ｒ１０Ｎの中には、複数の線状リブ１５Ｎが設けられる（図２６参照）。複数の線状リブ１５Ｎも、これらの第１開口領域の各々を区画して小さな小窓を形成している。
【０１１３】
図２９を参照して、第１開口領域Ｒ１０Ｂと、第１開口領域Ｒ１０Ｃとは、互いに隣り合う位置関係にある。第１開口領域Ｒ１０Ｂの中に設けられた線状リブ１５Ｍ（１５ＭＳ）について見ると、線状リブ１５（１５ＭＳ）は、位置１５ＭＴから位置１５ＭＵまで延在する円弧形状を有している。第１開口領域Ｒ１０Ｃの中に設けられた線状リブ１５Ｎ（１５ＮＳ）について見ると、線状リブ１５（１５ＮＳ）は、位置１５ＮＴから位置１５ＮＵまで延在する円弧形状を有している。
【０１１４】
第１開口領域Ｒ１０Ｂ（第１の第１開口領域）と、第１開口領域Ｒ１０Ｃ（第２の第１開口領域）とについて見た場合、第１開口領域Ｒ１０Ｂを区画している複数の線状リブ１５Ｍと、第１開口領域Ｒ１０Ｃを区画している複数の線状リブ１５Ｎとは、いずれも、屈曲するような形で連続しているか、もしくは互いに連続しないように配置されている。
【０１１５】
本実施の形態では、複数の線状リブ１５Ｍ，１５Ｎに関する上記の配置関係（具体的には、隣接する２つの開口領域を区画している複数の第１線状リブが、屈曲するような形で連続しているか、もしくは互いに連続しないように配置されているという配置関係）は、第１開口領域Ｒ１０Ａ〜Ｒ１０Ｎの中に設けられたすべての線状リブ１５Ｍ，１５Ｎについて成立している。
【０１１６】
図３０に示すように、１つの第１開口領域Ｒ１０Ｂの中に配置された複数の線状リブ１５Ｍは、それぞれ、円形状ＭＲ１〜ＭＲ７（中心ＭＲ）の一部からなる円弧形状を有している。つまり、第１開口領域Ｒ１０Ｂの中に配置された複数の線状リブ１５Ｍは、中心ＭＲを中心とする同心円状に並んで配置されている。
【０１１７】
同様に、１つの第１開口領域Ｒ１０Ｃの中に配置された複数の線状リブ１５Ｎは、それぞれ、円形状ＮＲ１〜ＮＲ８（中心ＮＲ）の一部からなる円弧形状を有している。つまり、第１開口領域Ｒ１０Ｃの中に配置された複数の線状リブ１５Ｎは、中心ＮＲを中心とする同心円状に並んで配置されている。
【０１１８】
好ましくは、複数の線状リブ１５Ｍの位置を規定している同心円の中心位置（中心ＭＲ位置）は、内側部１１の中心１１Ｃの位置とは異なる位置に設けられる。同様に、複数の線状リブ１５Ｎの位置を規定している同心円の中心位置（中心ＮＲ位置）も、内側部１１の中心１１Ｃの位置とは異なる位置に設けられる。
【０１１９】
好ましくは、１つの第１開口領域Ｒ１０Ｂの中に配置された複数の線状リブ１５Ｍは、同心円の径方向において等間隔に配置される。これは、円形状ＭＲ１，ＭＲ２の直径差、円形状ＭＲ２，ＭＲ３の直径差、円形状ＭＲ３，ＭＲ４の直径差、円形状ＭＲ４，ＭＲ５、円形状ＭＲ５，ＭＲ６の直径差、および円形状ＭＲ６，ＭＲ７の直径差が等しいことと同義である。同様に、１つの第１開口領域Ｒ１０Ｃの中に配置された複数の線状リブ１５Ｎも、好ましくは同心円の径方向において等間隔に配置される。
【０１２０】
本実施の形態では、複数の線状リブ１５Ｍ，１５Ｎに関するこれらの配置関係（複数の線状リブを規定している同心円の中心位置が内側部１１の中心１１Ｃとは異なる位置であり、複数の線状リブが同心円の径方向において等間隔に配置されているという配置関係）は、第１開口領域Ｒ１０Ａ〜Ｒ１０Ｎの中に設けられたすべての線状リブ１５Ｍ，１５Ｎについて成立している。
【０１２１】
図２９を再び参照して、本実施の形態における複数の線状リブ１５Ｍは、内側部１１を中心とする周方向における一方の端部と他方の端部とを有している。たとえば、線状リブ１５Ｍ（１５ＭＳ）は、一方の端部（位置１５ＭＴ）と、他方の端部（位置１５ＭＵ）とを有しており、これらの端部は周方向においてずれた位置に設けられている。ここで言う周方向とは、ファンガードを正面視した場合の時計回り方向と定義することもできるし、ファンガードを正面視した場合の反時計回り方向と定義することもできる。どちらでも構わない。一方の端部（位置１５ＭＴ）と内側部１１の中心１１Ｃの位置との間の距離をＬ７とし、他方の端部（位置１５ＭＵ）と内側部１１の中心１１Ｃの位置との間の距離をＬ８とした場合、すべての線状リブ１５ＭについてＬ７＞Ｌ８（ＬＡ＞ＬＢ）の関係が成立していることが好ましい。
【０１２２】
一方で、本実施の形態における複数の線状リブ１５Ｎは、内側部１１を中心とする周方向における一方の端部と他方の端部とを有している。たとえば、線状リブ１５Ｎ（１５ＮＳ）は、一方の端部（位置１５ＮＴ）と、他方の端部（位置１５ＮＵ）とを有しており、これらの端部は周方向においてずれた位置に設けられている。ここで言う周方向とは、ファンガードを正面視した場合の時計回り方向と定義することもできるし、ファンガードを正面視した場合の反時計回り方向と定義することもできる。どちらでも構わない。一方の端部（位置１５ＮＴ）と内側部１１の中心１１Ｃの位置との間の距離をＬ９とし、他方の端部（位置１５ＮＵ）と内側部１１の中心１１Ｃの位置との間の距離をＬ１０とした場合、すべての線状リブ１５ＮについてＬ１０＞Ｌ９（ＬＢ＞ＬＡ）の関係が成立していることが好ましい。
【０１２３】
上記の特徴を概括すると、本実施の形態においては、線状リブ１５ＭＳ，１５ＮＳの一方の端部と内側部１１の中心位置との間の距離をＬＡとし、線状リブ１５ＭＳ，１５ＮＳ）の他方の端部と内側部１１の中心位置との間の距離をＬＢとした場合、ＬＡ＞ＬＢの関係を具備する複数の線状リブが内側に設けられた第１開口領域と、ＬＢ＞ＬＡの関係を具備する複数の線状リブが内側に設けられた第１開口領域とが、周方向において交互に並んでいる。これにより、拡散効果を発揮する線状リブと収束効果を発揮する線状リブとが、周方向において交互に並んでいるという構成が実現できる。
【０１２４】
（作用および効果）
上記のような構成を有するファンガード１０Ｊにおいても、第１開口領域Ｒ１０Ａ〜Ｒ１０Ｎのうちの隣接する２つの第１開口領域を区画している複数の線状リブ１５Ｍ，１５Ｎが、屈曲するような形で連続しているか、もしくは互いに連続しないように配置されている。この構成によれば、第１開口領域Ｒ１０Ａ〜Ｒ１０Ｎの各々を通して吹き出される気流の向きが、線状リブ１５Ｍ，１５Ｎによって互いに異なる方向に規定されることになる。第１開口領域Ｒ１０Ａ〜Ｒ１０Ｎの各々を通して吹き出される気流の向きは、ファン３０の回転方向や、線状リブ１５Ｍ，１５Ｎの位置、形状および大きさに応じて、複数の第１開口領域Ｒ１０Ａ〜Ｒ１０Ｎ毎に所望の値に設定されることとなる。
【０１２５】
［実施の形態１２］
図３１〜図３４を参照して、実施の形態１２におけるファンガード１０Ｋについて説明する。図３１は、ファンガード１０Ｋを示す正面図である。実施の形態１１におけるファンガード１０Ｊ（図２６）と同様に、ファンガード１０Ｋは、内側部１１、外枠部１２およびガード部１３を備える。本実施の形態におけるガード部１３は、複数のフレーム１４、および複数の線状リブ１５Ｍ，１５Ｎを含む。
【０１２６】
（フレーム１４）
図３２は、ファンガード１０Ｊの一部を示す正面図であり、複数のフレーム１４Ｍ，１４Ｎの構成を説明するための図である。説明上の便宜のため、図３２においては、複数の線状リブ１５Ｍ，１５Ｎは図示されていない（図３１参照）。複数のフレーム１４（第１フレーム）は、内側部１１を中心として放射状に延びる形状を有し、周方向に３０°の間隔を空けて配置される。
【０１２７】
複数のフレーム１４は、内側部１１と外枠部１２との間の領域を区画することによって、計１２の第１開口領域Ｒ１０Ａ〜Ｒ１０Ｌを形成している。図示上の便宜のため、図３２の中の第１開口領域Ｒ１０Ａ〜Ｒ１０Ｌを示す部分には、ハッチング線を付している。第１開口領域Ｒ１０Ａ〜Ｒ１０Ｌは、周方向に（反時計回り方向に）沿って順に並んでおり、内側部１１の周囲を全体として環状に取り囲んでいる（図３１も参照）。
【０１２８】
（線状リブ１５Ｍ，１５Ｎ）
図３２中で、左肩上がりのハッチングで示される第１開口領域Ｒ１０Ｂ，Ｒ１０Ｃ，Ｒ１０Ｈ，Ｒ１０Ｉの中には、複数の線状リブ１５Ｍが設けられる（図３１参照）。図３２中で、右肩上がりのハッチングで示される第１開口領域Ｒ１０Ａ，Ｒ１０Ｄ，Ｒ１０Ｅ，Ｒ１０Ｆ，Ｒ１０Ｇ，Ｒ１０Ｊ，Ｒ１０Ｋ，Ｒ１０Ｌの中には、複数の線状リブ１５Ｎが設けられる。本実施の形態では、複数の線状リブ１５Ｍが設けられる第１開口領域と、複数の線状リブ１５Ｎが設けられる第１開口領域とが、周方向において交互に並んでいない。
【０１２９】
図３３は、ファンガード１０Ｋの一部を示す正面図であり、複数の線状リブ１５Ｍ，１５Ｎ（第１線状リブ）の構成を説明するための図である。第１開口領域Ｒ１０Ｃと、第１開口領域Ｒ１０Ｄとは、互いに隣り合う位置関係にある。第１開口領域Ｒ１０Ｃの中に設けられた線状リブ１５Ｍ（１５ＭＳ）について見ると、線状リブ１５（１５ＭＳ）は、位置１５ＭＴから位置１５ＭＵまで延在する円弧形状を有している。第１開口領域Ｒ１０Ｄの中に設けられた線状リブ１５Ｎ（１５ＮＳ）について見ると、線状リブ１５（１５ＮＳ）は、位置１５ＮＴから位置１５ＮＵまで延在する円弧形状を有している。
【０１３０】
第１開口領域Ｒ１０Ｃ（第１の第１開口領域）と、第１開口領域Ｒ１０Ｄ（第２の第１開口領域）とについて見た場合、第１開口領域Ｒ１０Ｃを区画している複数の線状リブ１５Ｍと、第１開口領域Ｒ１０Ｄを区画している複数の線状リブ１５Ｎとは、いずれも、屈曲するような形で連続しているか、もしくは互いに連続しないように配置されている。
【０１３１】
本実施の形態では、複数の線状リブ１５Ｍ，１５Ｎに関する上記の配置関係（具体的には、隣接する２つの開口領域を区画している複数の第１線状リブが、屈曲するような形で連続しているか、もしくは互いに連続しないように配置されているという配置関係）は、第１開口領域Ｒ１０Ａ〜Ｒ１０Ｌの中に設けられたすべての線状リブ１５Ｍ，１５Ｎについて成立している。
【０１３２】
図３４に示すように、１つの第１開口領域Ｒ１０Ｃの中に配置された複数の線状リブ１５Ｍは、それぞれ、円形状ＭＲ１〜ＭＲ８（中心ＭＲ）の一部からなる円弧形状を有している。つまり、第１開口領域Ｒ１０Ｃの中に配置された複数の線状リブ１５Ｍは、中心ＭＲを中心とする同心円状に並んで配置されている。
【０１３３】
同様に、１つの第１開口領域Ｒ１０Ｄの中に配置された複数の線状リブ１５Ｎは、それぞれ、円形状ＮＲ１〜ＮＲ８（中心ＮＲ）の一部からなる円弧形状を有している。つまり、第１開口領域Ｒ１０Ｄの中に配置された複数の線状リブ１５Ｎは、中心ＮＲを中心とする同心円状に並んで配置されている。
【０１３４】
好ましくは、複数の線状リブ１５Ｍの位置を規定している同心円の中心位置（中心ＭＲ位置）は、内側部１１の中心１１Ｃの位置とは異なる位置に設けられる。同様に、複数の線状リブ１５Ｎの位置を規定している同心円の中心位置（中心ＮＲ位置）も、内側部１１の中心１１Ｃの位置とは異なる位置に設けられる。
【０１３５】
好ましくは、１つの第１開口領域Ｒ１０Ｃの中に配置された複数の線状リブ１５Ｍは、同心円の径方向において等間隔に配置される。これは、円形状ＭＲ１，ＭＲ２の直径差、円形状ＭＲ２，ＭＲ３の直径差、円形状ＭＲ３，ＭＲ４の直径差、円形状ＭＲ４，ＭＲ５、円形状ＭＲ５，ＭＲ６の直径差、円形状ＭＲ６，ＭＲ７の直径差、および円形状ＭＲ７，ＭＲ８の直径差が等しいことと同義である。同様に、１つの第１開口領域Ｒ１０Ｄの中に配置された複数の線状リブ１５Ｎも、好ましくは同心円の径方向において等間隔に配置される。
【０１３６】
本実施の形態では、複数の線状リブ１５Ｍ，１５Ｎに関するこれらの配置関係（複数の線状リブを規定している同心円の中心位置が内側部１１の中心１１Ｃとは異なる位置であり、複数の線状リブが同心円の径方向において等間隔に配置されているという配置関係）は、第１開口領域Ｒ１０Ａ〜Ｒ１０Ｌの中に設けられたすべての線状リブ１５Ｍ，１５Ｎについて成立している。
【０１３７】
図３３を再び参照して、本実施の形態における複数の線状リブ１５Ｍは、内側部１１を中心とする周方向における一方の端部と他方の端部とを有している。たとえば、線状リブ１５Ｍ（１５ＭＳ）は、一方の端部（位置１５ＭＴ）と、他方の端部（位置１５ＭＵ）とを有しており、これらの端部は周方向においてずれた位置に設けられている。一方の端部（位置１５ＭＴ）と内側部１１の中心１１Ｃの位置との間の距離をＬ７とし、他方の端部（位置１５ＭＵ）と内側部１１の中心１１Ｃの位置との間の距離をＬ８とした場合、すべての線状リブ１５ＭについてＬ８＞Ｌ７の関係が成立していることが好ましい。
【０１３８】
一方で、本実施の形態における複数の線状リブ１５Ｎは、内側部１１を中心とする周方向における一方の端部と他方の端部とを有している。たとえば、線状リブ１５Ｎ（１５ＮＳ）は、一方の端部（位置１５ＮＴ）と、他方の端部（位置１５ＮＵ）とを有しており、これらの端部は周方向においてずれた位置に設けられている。一方の端部（位置１５ＮＴ）と内側部１１の中心１１Ｃの位置との間の距離をＬ９とし、他方の端部（位置１５ＮＵ）と内側部１１の中心１１Ｃの位置との間の距離をＬ１０とした場合、すべての線状リブ１５ＮについてＬ９＞Ｌ１０の関係が成立していることが好ましい。
【０１３９】
（作用および効果）
上記のような構成を有するファンガード１０Ｋにおいても、第１開口領域Ｒ１０Ａ〜Ｒ１０Ｌのうちの隣接する２つの第１開口領域を区画している複数の線状リブ１５Ｍ，１５Ｎが、屈曲するような形で連続しているか、もしくは互いに連続しないように配置されている。この構成によれば、第１開口領域Ｒ１０Ａ〜Ｒ１０Ｌの各々を通して吹き出される気流の向きが、線状リブ１５Ｍ，１５Ｎによって互いに異なる方向に規定されることになる。第１開口領域Ｒ１０Ａ〜Ｒ１０Ｌの各々を通して吹き出される気流の向きは、ファン３０の回転方向や、線状リブ１５Ｍ，１５Ｎの位置、形状および大きさに応じて、複数の第１開口領域Ｒ１０Ａ〜Ｒ１０Ｌ毎に所望の値に設定されることとなる。
【０１４０】
たとえば、上下の領域（第１開口領域Ｒ１０Ｂ，Ｒ１０Ｃ，Ｒ１０Ｈ，Ｒ１０Ｉ）を通過する気流を収束させ、左右の領域（第１開口領域Ｒ１０Ａ，Ｒ１０Ｄ，Ｒ１０Ｅ，Ｒ１０Ｆ，Ｒ１０Ｇ，Ｒ１０Ｊ，Ｒ１０Ｋ，Ｒ１０Ｌ）を通過する気流を拡散させたとする。この場合、従来の扇風機においては首振りで対応していた箇所にも、首を振ることなく風をいきわたらせることが可能となる。たとえば、ソファなど座っている複数の人や、ベッドに横たわっている人に対しては、上下に拡散する風は不要であるため、上下の領域（第１開口領域Ｒ１０Ｂ，Ｒ１０Ｃ，Ｒ１０Ｈ，Ｒ１０Ｉ）を通過する気流を収束させることで、効率の良い送風を実現できる。
【０１４１】
これとは逆に、上下の領域（第１開口領域Ｒ１０Ｂ，Ｒ１０Ｃ，Ｒ１０Ｈ，Ｒ１０Ｉ）を通過する気流を拡散させ、左右の領域（第１開口領域Ｒ１０Ａ，Ｒ１０Ｄ，Ｒ１０Ｅ，Ｒ１０Ｆ，Ｒ１０Ｇ，Ｒ１０Ｊ，Ｒ１０Ｋ，Ｒ１０Ｌ）を通過する気流を収束させたとする。たとえば、一人で椅子に座っている場合などには左右に風が拡散することは不要であるため、縦長の領域に集中的に風を収束させることで、効率の良い送風を実現できる。風が全周にやさしく拡散するよりも、風を当てたい領域に集中的に風を収束させる方がよい場合もある。
【０１４２】
［実施の形態１３］
図３５、３６、３７、３８は、それぞれ、実施の形態１３における送風装置１０１を示す斜視図、正面図、横断面図、縦断面図である。説明上の便宜上のため、図３５においては、筐体５０からファンガード１０Ｊａを取り外した状態を図示しており、図３６においては、筐体５０の枠体５１は実線を用いて図示しており、筐体５０の正面パネル５２は点線を用いて図示している。図３９は、送風装置１０１に備えられるファンガード１０Ｊａを示す正面図である。
【０１４３】
図３５に示すように、本実施の形態の送風装置１０１は、エアコンの室外機である。送風装置１０１は、筐体５０、ファンガード１０Ｊａ、およびファン３０を備える。筐体５０は、枠体５１および正面パネル５２を含み、ファン３０を収容している。枠体５１は、正面側が開口した箱状の形状を有しており、正面パネル５２は、枠体５１の開口を正面側から塞ぐように配置される。正面パネル５２は、略円形の通風口５３を有している。
【０１４４】
図３６〜図３８に示すように、筐体５０の内部には、ファン３０に加えて、駆動モータ３１（図３７，３８）、熱交換器３２、モータアングル３３、およびベルマウス３４が設けられる。ベルマウス３４は、円弧状のオリフィスを設けた板状体である。ベルマウス３４は、ファン３０と同軸上に配置され、ファン３０に対して所定の隙間を空けて対向している。
【０１４５】
図３９を参照して、本実施の形態のファンガード１０Ｊａは、上述の実施の形態１１におけるファンガード１０Ｊ（図２６参照）と次の点で相違している。ファンガード１０Ｊａのフレーム１４Ｍ，１４Ｎは、ファンガード１０Ｊのフレーム１４Ｍ，１４Ｎとは反対向きに湾曲する形状を有している。ファンガード１０Ｊａの線状リブ１５Ｍは、ファンガード１０Ｊの線状リブ１５Ｍとは反対向きに湾曲する形状を有しており、ファンガード１０Ｊａの線状リブ１５Ｎは、ファンガード１０Ｊの線状リブ１５Ｎとは反対向きに湾曲する形状を有している。
【０１４６】
ファンガード１０Ｊａの外枠部１２は、円環状の形状を有している。外枠部１２の内形形状１２ａおよび外形形状１２ｂは、いずれも正円形状を有している。外枠部１２の外形形状１２ｂは、正面パネル５２の通風口５３と略同等か、もしくは正面パネル５２の通風口５３よりも大きい。本実施の形態では、外形形状１２ｂおよび通風口５３はいずれも円形状であり、外形形状１２ｂの直径は、通風口５３の直径よりも大きい。ファンガード１０Ｊａは、筐体５０（正面パネル５２）の外側から通風口５３の全体を覆うように配置されている（図３５参照）。
【０１４７】
送風装置１０１のファンガード１０Ｊａは、上述の実施の形態１１におけるファンガード１０Ｊと同じような形状を有していることから、大きな風量が得られるとともに、吹き出された風の直進性が高いため、吹き出された風が直ちに吸込まれるといった所謂ショートサーキットの少ない室外機を構成する。したがって、送風装置１０１によれば、省エネルギーを実現でき、高い効率での運転が可能となる。さらに、ファンガード１０Ｊａは独特な高い美観を発揮することができるため、商業的効果も期待できる。なお、上述の他の実施の形態におけるファンガードを、エアコンの室外機に用いることができるのは言うまでもない。本実施の形態および他の実施の形態におけるファンガードは、エアコンの室外機に限られず、空気調和機、空気清浄機、加湿機、除湿機、扇風機、ファンヒータ、冷却装置、換気装置など、各種の送風装置に適用可能である。
【０１４８】
［実施の形態１４］
図４０は、実施の形態１４における送風装置１０２を示す斜視図である。説明上の便宜上のため、図４０においては、筐体５０からファンガード１０Ｊｂを取り外した状態を図示している。図４１は、送風装置１０２に備えられるファンガード１０Ｊｂを示す正面図である。
【０１４９】
図４０を参照して、本実施の形態の送風装置１０２も、エアコンの室外機である。本実施の形態においては、矩形状の外形形状を有するファンガード１０Ｊｂが用いられる。
【０１５０】
図４１に示すように、本実施の形態のファンガード１０Ｊｂは、上述の実施の形態１３におけるファンガード１０Ｊａ（図３９参照）と次の点で相違している。ファンガード１０Ｊａの外枠部１２は、円環状の形状を有しているのに対して、ファンガード１０Ｊｂの外枠部１２は、矩形状の形状を有している。本実施の形態においては、外枠部１２の内形形状１２ａおよび外形形状１２ｂは、いずれも矩形形状を有している。
【０１５１】
ファンガード１０Ｊｂの外枠部１２の外形形状１２ｂは、正面パネル５２の通風口５３と略同等か、もしくは正面パネル５２の通風口５３よりも大きい。本実施の形態では、外形形状１２ｂは、矩形形状であり、通風口５３は円形状である。ファンガード１０Ｊｂは、筐体５０（正面パネル５２）の外側から通風口５３の全体を覆うように配置されている（図４０参照）。
【０１５２】
ファンガード１０Ｊｂによると、上述の実施の形態１１や実施の形態１３の場合と同様に、高い性能を有する室外機を得ることが可能となり、なおかつ、ファンガード１０Ｊｂにより室外機の外観の印象を大きく変更することができるため、使用者の好みに合わせた様々な外観の室外機を構成することが可能となる。
【０１５３】
［実施の形態１５］
図４２は、実施の形態１５における送風装置に備えられるファンガード１０Ｊｃを示す正面図である。本実施の形態のファンガード１０Ｊｃは、上述の実施の形態１４におけるファンガード１０Ｊｂ（図４１参照）と次の点で相違している。ファンガード１０Ｊｂの外枠部１２の内形形状１２ａは、矩形状の形状を有しているのに対して、ファンガード１０Ｊｂの外枠部１２の内形形状１２ａは、円形状の形状を有している。すなわち、本実施の形態の外枠部１２は、円形状の内形形状１２ａと、矩形状の外形形状１２ｂとを有している。
【０１５４】
ファンガード１０Ｊｃによっても、上述の実施の形態１１や実施の形態１３，１４の場合と同様に、高い性能を有する室外機を得ることが可能となり、なおかつ、ファンガード１０Ｊｃにより室外機の外観の印象を大きく変更することができるため、使用者の好みに合わせた様々な外観の室外機を構成することが可能となる。
【０１５５】
［付記］
以上の各実施の形態で述べた内容は、次の付記として記載するように概括することもできる。
【０１５６】
［付記１］
ファンをガードするためのファンガードであって、
外枠部と、
上記外枠部の内側に配置される内側部と、
上記外枠部と上記内側部との間に設けられるガード部と、を備え、
上記ガード部は、
上記外枠部と上記内側部との間の領域を区画することによって、周方向に並び上記内側部の周囲を全体として環状に取り囲む複数の第１開口領域を形成する複数の第１フレームと、
各々の上記第１開口領域の中に配置され、各々の上記第１開口領域を区画するように設けられた複数の第１線状リブと、を含み、
第１の上記第１開口領域と、第１の上記第１開口領域に隣接する第２の上記第１開口領域とについて見た場合、第１の上記第１開口領域を区画している複数の上記第１線状リブと、第２の上記第１開口領域を区画している複数の上記第１線状リブとは、屈曲するような形で連続しているか、もしくは互いに連続しないように配置されている、
ファンガード。
【０１５７】
［付記２］
複数の上記第１フレームの各々は、円形状の一部からなる円弧形状を有しており、
複数の上記第１フレームを構成している複数の上記円弧形状の一つ一つに対応する上記円形状の中心は、互いに異なる位置に設けられている、
付記１に記載のファンガード。
【０１５８】
［付記３］
複数の上記第１フレームを構成している複数の上記円弧形状の一つ一つに対応する上記円形状の中心は、１つの螺旋曲線上に位置している、
付記２に記載のファンガード。
【０１５９】
［付記４］
複数の上記第１フレームを構成している複数の上記円弧形状の一つ一つに対応する上記円形状は、１つの螺旋曲線に内接するように配置されている、
付記２に記載のファンガード。
【０１６０】
［付記５］
１つの上記第１開口領域の中に配置された複数の上記第１線状リブは、同心円状に並んで配置されている、
付記１から４のいずれかに記載のファンガード。
【０１６１】
［付記６］
複数の上記第１線状リブの位置を規定している同心円の中心位置は、上記内側部の中心位置とは異なる位置である、
付記５に記載のファンガード。
【０１６２】
［付記７］
１つの上記第１開口領域の中に配置された複数の上記第１線状リブは、同心円の径方向において等間隔に配置されている、
付記５または６に記載のファンガード。
【０１６３】
［付記８］
上記第１線状リブは、上記内側部を中心とする周方向における一方の端部と他方の端部とを有しており、
上記第１線状リブの一方の端部と上記内側部の中心位置との間の距離をＬ１とし、上記第１線状リブの他方の端部と上記内側部の中心位置との間の距離をＬ２とした場合、
すべての上記第１線状リブについてＬ１＞Ｌ２の関係が成立している、
付記１から７のいずれかに記載のファンガード。
【０１６４】
［付記９］
上記内側部の周囲を全体として環状に取り囲む複数の上記第１開口領域を、１つの内側領域と定義すると、
上記ガード部は、
上記内側領域と上記外枠部との間の領域を区画することによって、周方向に並び上記内側領域の周囲を全体として環状に取り囲む複数の第２開口領域を形成する複数の第２フレームと、
各々の上記第２開口領域の中に配置され、各々の上記第２開口領域を区画するように設けられた複数の第２線状リブと、を含む、
付記２から８のいずれかに記載のファンガード。
【０１６５】
［付記１０］
複数の上記第２フレームの各々は、他の円形状の一部からなる他の円弧形状を有しており、
複数の上記第２フレームを構成している複数の上記他の円弧形状の一つ一つに対応する上記他の円形状の中心は、互いに異なる位置に設けられている、
付記９に記載のファンガード。
【０１６６】
［付記１１］
上記第２線状リブは、上記内側部を中心とする周方向における一方の端部と他方の端部とを有しており、
上記第２線状リブの一方の端部と上記内側部の中心位置との間の距離をＬ３とし、上記第２線状リブの他方の端部と上記内側部の中心位置との間の距離をＬ４とした場合、すべての上記第２線状リブについてＬ３＞Ｌ４の関係が成立している、
付記９または１０に記載のファンガード。
【０１６７】
［付記１２］
上記内側領域の周囲を全体として環状に取り囲む複数の上記第２開口領域を、１つの中間領域と定義すると、
上記ガード部は、上記中間領域と上記外枠部との間に配置された複数の第３線状リブをさらに含み、
複数の上記第３線状リブは、上記内側部の中心位置を中心とする回転対称性を有するように配置されている、
付記９から１１のいずれかに記載のファンガード。
【０１６８】
［付記１３］
複数の上記第３線状リブは、上記内側部の中心位置を中心とする放射状に配置されている、
付記１２に記載のファンガード。
【０１６９】
［付記１４］
上記第１線状リブは、上記内側部を中心とする周方向における一方の端部と他方の端部とを有しており、
上記第１線状リブの一方の端部と上記内側部の中心位置との間の距離をＬＡとし、上記第１線状リブの他方の端部と上記内側部の中心位置との間の距離をＬＢとした場合、
ＬＡ＞ＬＢの関係を具備する複数の上記第１線状リブが内側に設けられた上記第１開口領域と、ＬＢ＞ＬＡの関係を具備する複数の上記第１線状リブが内側に設けられた上記第１開口領域とが、周方向において交互に並んでいる、
付記１または２に記載のファンガード。
【０１７０】
［付記１５］
上記第１フレームの一方の端部は、上記内側部の外周上に位置しており、
上記第１フレームの他方の端部は、上記外枠部上に位置している、
付記１４に記載のファンガード。
【０１７１】
［付記１６］
上記ファンの背面側に向かって軸方向に上記ガード部を投影した場合、上記ガード部の投影像は、上記ファンの背面側に配置される背面側ファンガードのガード部に重なる部分を有している、
付記１から１５のいずれかに記載のファンガード。
【０１７２】
［付記１７］
ファンと、
付記１から１６のいずれかに記載のファンガードと、を備える、
送風装置。
【０１７３】
［付記１８］
上記ファンの後縁部と上記ファンガードの上記ガード部とを対向させた状態で上記後縁部を正面側に向かって軸方向に投影した場合、上記後縁部の投影像は、上記ファンガードの上記ガード部の一部にのみ交差する、
付記１７に記載の送風装置。
【０１７４】
［付記１９］
略円形の通風口を有し、上記ファンを収容する筐体をさらに備え、
上記ファンガードの上記外枠部の外形形状は、上記通風口よりも大きく、
上記ファンガードは、上記筐体の外側から上記通風口を覆うように配置されている、
付記１７に記載の送風装置。
【０１７５】
［付記２０］
上記外枠部は、矩形状の外形形状を有している、
付記１９に記載の送風装置。
【０１７６】
以上、各実施の形態について説明したが、上記の開示内容はすべての点で例示であって制限的なものではない。本発明の技術的範囲は請求の範囲によって示され、請求の範囲と均等の意味および範囲内でのすべての変更が含まれることが意図される。
【符号の説明】
【０１７７】
１０，１０Ａ，１０Ｂ，１０Ｃ，１０Ｄ，１０Ｅ，１０Ｆ，１０Ｇ，１０Ｈ，１０Ｉ，１０Ｊ，１０Ｊａ，１０Ｊｂ，１０Ｊｃ，１０Ｋ，１０Ｚ１，１０Ｚ２，１０Ｚ３，１０Ｚ４，１０Ｚ５，１０Ｚ６  ファンガード、１１  内側部、１１Ｃ，１４ＡＡ，１４ＢＢ，１４ＤＤ，１４ＥＥ，１４ＲＡ，１４ＲＤ，１６ＰＰ，１６ＵＵ，ＤＲ，ＥＲ，ＭＲ，ＮＲ，ＴＲ，ＵＲ  中心、１２  外枠部、１２ａ  内形形状、１２ｂ  外形形状、１３  ガード部、１４，１４Ｍ，１４Ｎ，１６  フレーム、１４Ｒ１，１４Ｒ２，１４Ｒ３，１４Ｒ４，１８Ｒ１，１８Ｒ２，１８Ｒ３，ＡＡ，ＢＢ，ＤＤ，ＤＲ１，ＤＲ２，ＤＲ３，ＥＥ，ＥＲ１，ＥＲ２，ＥＲ３，ＭＲ１，ＭＲ２，ＭＲ３，ＭＲ４，ＭＲ５，ＭＲ６，ＭＲ７，ＭＲ８，ＮＲ１，ＮＲ８，ＰＰ，ＱＱ，ＲＲ，ＳＳ，ＴＲ１，ＴＲ２，ＴＲ３，ＴＲ４，ＴＴ，ＵＲ１，ＵＲ２，ＵＲ３，ＵＲ４，ＵＵ  円形状、１４ＳＰ  螺旋曲線、１５，１５Ｍ，１５ＭＳ，１５Ｎ，１５ＮＳ，１７，１８  線状リブ、１５ＭＴ，１５ＭＵ，１５ＮＴ，１５ＮＵ，Ａ１，Ａ２，Ｂ１，Ｂ２，Ｃ１，Ｃ２，Ｄ１，Ｄ２，Ｄ１１，Ｄ１２，Ｄ２１，Ｄ２２，Ｄ３１，Ｄ３２，Ｅ１，Ｅ２，Ｅ１１，Ｅ１２，Ｅ２１，Ｅ２２，Ｅ３１，Ｅ３２，Ｐ１，Ｐ２，Ｑ１，Ｑ２，Ｒ１，Ｒ２，Ｓ１，Ｓ２，Ｔ１，Ｔ２，Ｔ１１，Ｔ１２，Ｔ２１，Ｔ２２，Ｔ３１，Ｔ３２，Ｔ４１，Ｔ４２，Ｕ１，Ｕ２，Ｕ１１，Ｕ１２，Ｕ２１，Ｕ２２，Ｕ３１，Ｕ３２，Ｕ４１，Ｕ４２  位置、１８Ｔ，１８Ｕ，Ａ１１，Ｐ１１  端部、２０  背面側ファンガード、３０  ファン、３０Ｅ  後縁部、３１  駆動モータ、３２  熱交換器、３３  モータアングル、３４  ベルマウス、４０  本体部、５０  筐体、５１  枠体、５２  正面パネル、５３  通風口、１００，１０１，１０２  送風装置、ＰＥ  線、Ｒ１０Ｄ，Ｒ１０Ｃ，Ｒ１０Ｂ，Ｒ１０Ｈ，Ｒ１０Ｊ，Ｒ１０Ｅ，Ｒ１０Ｌ，Ｒ１０Ｆ，Ｒ１０Ａ，Ｒ１０Ｎ，Ｒ１０Ｇ，Ｒ１０Ｉ，Ｒ１０Ｋ，Ｒ１０Ｍ  第１開口領域、Ｒ２０Ｕ，Ｒ２０Ｔ，Ｒ２０Ｐ  第２開口領域。
【図１】
2016121485.tif 000003
【図２】
2016121485.tif 000004
【図３】
2016121485.tif 000005
【図４】
2016121485.tif 000006
【図５】
2016121485.tif 000007
【図６】
2016121485.tif 000008
【図７】
2016121485.tif 000009
【図８】
2016121485.tif 000010
【図９】
2016121485.tif 000011
【図１０】
2016121485.tif 000012
【図１１】
2016121485.tif 000013
【図１２】
2016121485.tif 000014
【図１３】
2016121485.tif 000015
【図１４】
2016121485.tif 000016
【図１５】
2016121485.tif 000017
【図１６】
2016121485.tif 000018
【図１７】
2016121485.tif 000019
【図１８】
2016121485.tif 000020
【図１９】
2016121485.tif 000021
【図２０】
2016121485.tif 000022
【図２１】
2016121485.tif 000023
【図２２】
2016121485.tif 000024
【図２３】
2016121485.tif 000025
【図２４】
2016121485.tif 000026
【図２５】
2016121485.tif 000027
【図２６】
2016121485.tif 000028
【図２７】
2016121485.tif 000029
【図２８】
2016121485.tif 000030
【図２９】
2016121485.tif 000031
【図３０】
2016121485.tif 000032
【図３１】
2016121485.tif 000033
【図３２】
2016121485.tif 000034
【図３３】
2016121485.tif 000035
【図３４】
2016121485.tif 000036
【図３５】
2016121485.tif 000037
【図３６】
2016121485.tif 000038
【図３７】
2016121485.tif 000039
【図３８】
2016121485.tif 000040
【図３９】
2016121485.tif 000041
【図４０】
2016121485.tif 000042
【図４１】
2016121485.tif 000043
【図４２】
2016121485.tif 000044
【図４３】
2016121485.tif 000045
【図４４】
2016121485.tif 000046
【図４５】
2016121485.tif 000047
【図４６】
2016121485.tif 000048
【図４７】
2016121485.tif 000049
【図４８】
2016121485.tif 000050
【国際調査報告】
2016121485.tif 000051
2016121485.tif 000052
2016121485.tif 000053
2016121485.tif 000054